(57)【要約】  帯域幅部分に基づいて周波数帯域における通信することに関するワイヤレス通信システムおよび方法が提供される。第1のワイヤレス通信デバイスは、周波数帯域において複数の帯域幅部分を示す第1の構成を第2のワイヤレス通信デバイスと通信し、複数の帯域幅部分は、周波数帯域におけるリッスンビフォアトーク(LBT)に関連する予想チャネルアクセスパターンに基づく。第1のワイヤレス通信デバイスは、LBT結果に基づいて複数の帯域幅部分のうちの第1の帯域幅部分において第1の通信信号を第2のワイヤレス通信デバイスと通信する。
2021516008.tif 000002
【特許請求の範囲】
【請求項１】
ワイヤレス通信の方法であって、
周波数帯域において複数の帯域幅部分を示す第1の構成を第1のワイヤレス通信デバイスによって第2のワイヤレス通信デバイスと通信するステップであって、前記複数の帯域幅部分が、前記周波数帯域におけるリッスンビフォアトーク(LBT)に関連する予想チャネルアクセスパターンに基づく、ステップと、
LBT結果に基づいて前記複数の帯域幅部分のうちの第1の帯域幅部分において第1の通信信号を前記第1のワイヤレス通信デバイスによって前記第2のワイヤレス通信デバイスと通信するステップと
を備える、方法。
【請求項２】
前記周波数帯域が複数のチャネルを含み、前記複数の帯域幅部分の各帯域幅部分が前記複数のチャネルのうちの1つまたは複数のチャネルを含む、請求項1に記載の方法。
【請求項３】
前記第1の帯域幅部分が、前記複数のチャネルのうちの少なくとも2つの隣接しないチャネルを含む、請求項2に記載の方法。
【請求項４】
前記複数のチャネルが共通1次チャネルを含み、前記複数の帯域幅部分の各帯域幅部分が前記共通1次チャネルを含む、請求項2に記載の方法。
【請求項５】
各帯域幅部分が、前記複数のチャネルのうちの1つまたは複数の隣接するチャネルを含む、請求項4に記載の方法。
【請求項６】
前記共通1次チャネルのための周波数ホッピングパターンを示す第2の構成を前記第1のワイヤレス通信デバイスによって前記第2のワイヤレス通信デバイスと通信するステップと、
前記周波数ホッピングパターンに基づいて前記第1の帯域幅部分を前記第1のワイヤレス通信デバイスによって周波数ホッピングさせるステップと、
前記周波数ホッピングされた第1の帯域幅部分において第2の通信信号を前記第1のワイヤレス通信デバイスによって前記第2のワイヤレス通信デバイスと通信するステップと
をさらに備える、請求項4に記載の方法。
【請求項７】
各々が前記周波数帯域において複数のサブキャリアを含む複数のリソースブロックに対して、前記周波数帯域において基準開始サブキャリアを前記第1のワイヤレス通信デバイスによって決定するステップをさらに備え、
前記複数のチャネルの各チャネルが、前記複数のリソースブロックのうちの1つまたは複数のリソースブロックを含む、
請求項2に記載の方法。
【請求項８】
前記複数の帯域幅部分のための複数のガードバンドを前記第1のワイヤレス通信デバイスによって決定するステップをさらに備え、
前記基準開始サブキャリアを決定するステップが、前記複数のガードバンドの一部分を含むリソースブロックとオーバーラップしていない、各帯域幅部分の中のリソースブロックの個数に関連するメトリックに基づく、
請求項7に記載の方法。
【請求項９】
前記複数のガードバンドを決定するステップが、
前記複数のチャネルの中心周波数が前記周波数帯域において前記複数のサブキャリアのサブキャリア間隔の整数倍だけ互いに離間するように、前記複数のガードバンドを決定するステップをさらに含む、
請求項8に記載の方法。
【請求項１０】
前記決定するステップが、前記複数の帯域幅部分のうちの最大帯域幅を含む帯域幅部分のガードバンドに基づく、請求項7に記載の方法。
【請求項１１】
前記決定するステップが、前記複数の帯域幅部分のうちの最小帯域幅を含む帯域幅部分のガードバンドに基づく、請求項7に記載の方法。
【請求項１２】
前記第1の帯域幅部分内の前記複数のチャネルのうちの第1のチャネルにおいて第1のLBTを前記第1のワイヤレス通信デバイスによって実行するステップと、
前記第1の帯域幅部分内の前記複数のチャネルのうちの第2のチャネルにおいて第2のLBTを前記第1のワイヤレス通信デバイスによって実行するステップと
をさらに備え、
前記第1の通信信号を通信するステップが、
前記第1のLBTおよび前記第2のLBTに関連する前記LBT結果に基づいて前記第1のチャネルにおいて前記第1の通信信号を前記第1のワイヤレス通信デバイスによって前記第2のワイヤレス通信デバイスと通信するステップを含む、
請求項2に記載の方法。
【請求項１３】
ワイヤレス通信の方法であって、
周波数帯域において複数の帯域幅部分を示す第1の構成を第1のワイヤレス通信デバイスによって第2のワイヤレス通信デバイスと通信するステップであって、前記周波数帯域が、リソースブロックの第2のセットとともにインターレースされたリソースブロックの第1のセットを少なくとも含む、ステップと、
第1のリッスンビフォアトーク(LBT)結果に基づいて、前記複数の帯域幅部分のうちの第1の帯域幅部分内の前記リソースブロックの第1のセットの少なくとも一部分を使用して、第1の通信信号を前記第1のワイヤレス通信デバイスによって前記第2のワイヤレス通信デバイスと通信するステップと
を備える、方法。
【請求項１４】
前記リソースブロックの第1のセットが、前記周波数帯域において互いに一様に離間している、請求項13に記載の方法。
【請求項１５】
各々が複数のサブキャリアを含む複数のリソースブロックに対して、前記周波数帯域において基準開始サブキャリアを前記第1のワイヤレス通信デバイスによって決定するステップをさらに備え、
前記複数のリソースブロックが、前記リソースブロックの第1のセットおよび前記リソースブロックの第2のセットを含む、
請求項13に記載の方法。
【請求項１６】
前記周波数帯域が、前記複数のリソースブロックを含む複数のチャネルを含み、前記複数の帯域幅部分の各帯域幅部分が、前記複数のチャネルのうちの1つまたは複数のチャネルを含む、請求項15に記載の方法。
【請求項１７】
前記複数の帯域幅部分のための複数のガードバンドを前記第1のワイヤレス通信デバイスによって決定するステップをさらに備え、
前記基準開始サブキャリアを決定するステップが、前記複数のガードバンドの一部分を含むリソースブロックとオーバーラップしていない、各帯域幅部分の中のリソースブロックの個数に関連するメトリックに基づく、
請求項16に記載の方法。
【請求項１８】
前記複数のガードバンドを決定するステップが、
前記複数のチャネルの中心周波数が前記周波数帯域において前記複数のサブキャリアのサブキャリア間隔の整数倍だけ互いに離間するように、前記複数のガードバンドを決定するステップをさらに含む、
請求項17に記載の方法。
【請求項１９】
前記決定するステップが、前記複数の帯域幅部分のうちの最大帯域幅を含む帯域幅部分のガードバンドに基づく、請求項15に記載の方法。
【請求項２０】
前記決定するステップが、前記複数の帯域幅部分のうちの最小帯域幅を含む帯域幅部分のガードバンドに基づく、請求項15に記載の方法。
【請求項２１】
第2のLBT結果に基づいて、前記複数の帯域幅部分のうちの第2の帯域幅部分内の前記リソースブロックの第2のセットの少なくとも一部分を使用して、第2の通信信号を前記第1のワイヤレス通信デバイスによって第3のワイヤレス通信デバイスと通信するステップをさらに備え、
前記第2の帯域幅部分が前記第1の帯域幅部分と少なくとも部分的にオーバーラップしており、
前記第3のワイヤレス通信デバイスが前記第2のワイヤレス通信デバイスとは異なる、
請求項13に記載の方法。
【請求項２２】
周波数帯域において複数の帯域幅部分を示す第1の構成をワイヤレス通信デバイスと通信するための手段であって、前記複数の帯域幅部分が、前記周波数帯域におけるリッスンビフォアトーク(LBT)に関連する予想チャネルアクセスパターンに基づく、手段と、
LBT結果に基づいて前記複数の帯域幅部分のうちの第1の帯域幅部分において第1の通信信号を前記ワイヤレス通信デバイスと通信するための手段と
を備える、装置。
【請求項２３】
前記周波数帯域が複数のチャネルを含み、前記複数の帯域幅部分の各帯域幅部分が前記複数のチャネルのうちの1つまたは複数のチャネルを含む、請求項22に記載の装置。
【請求項２４】
前記第1の帯域幅部分が、前記複数のチャネルのうちの少なくとも2つの隣接しないチャネルを含む、請求項23に記載の装置。
【請求項２５】
前記複数のチャネルが共通1次チャネルを含み、前記複数の帯域幅部分の各帯域幅部分が前記共通1次チャネルを含む、請求項23に記載の装置。
【請求項２６】
各帯域幅部分が、前記複数のチャネルのうちの1つまたは複数の隣接するチャネルを含む、請求項25に記載の装置。
【請求項２７】
前記共通1次チャネルのための周波数ホッピングパターンを示す第2の構成を前記ワイヤレス通信デバイスと通信するための手段と、
周波数ホッピングパターンに基づいて前記第1の帯域幅部分に周波数ホッピングを適用するための手段と、
前記周波数ホッピングされた第1の帯域幅部分において第2の通信信号を前記ワイヤレス通信デバイスと通信するための手段と
をさらに備える、請求項25に記載の装置。
【請求項２８】
各々が前記周波数帯域において複数のサブキャリアを含む複数のリソースブロックに対して、前記周波数帯域において基準開始サブキャリアを決定するための手段をさらに備え、
前記複数のチャネルの各チャネルが、前記複数のリソースブロックのうちの1つまたは複数のリソースブロックを含む、
請求項23に記載の装置。
【請求項２９】
前記複数の帯域幅部分のための複数のガードバンドを決定するための手段をさらに備え、
前記基準開始サブキャリアが、前記複数のガードバンドの一部分を含むリソースブロックとオーバーラップしていない、各帯域幅部分の中のリソースブロックの個数に関連するメトリックにさらに基づいて決定される、
請求項28に記載の装置。
【請求項３０】
前記複数のガードバンドが、前記複数のチャネルの中心周波数が前記周波数帯域における前記複数のサブキャリアのサブキャリア間隔の整数倍だけ互いに離間しているように決定される、請求項29に記載の装置。
【請求項３１】
前記基準開始サブキャリアが、前記複数の帯域幅部分のうちの最大帯域幅を含む帯域幅部分のガードバンドにさらに基づいて決定される、請求項28に記載の装置。
【請求項３２】
前記基準開始サブキャリアを決定するための手段が、
前記複数の帯域幅部分のうちの最小帯域幅を含む帯域幅部分のガードバンドに基づいて前記基準開始サブキャリアを決定するようにさらに構成される、
請求項28に記載の装置。
【請求項３３】
前記第1の帯域幅部分内の前記複数のチャネルのうちの第1のチャネルにおいて第1のLBTを実行するための手段と、
前記第1の帯域幅部分内の前記複数のチャネルのうちの第2のチャネルにおいて第2のLBTを実行するための手段と
をさらに備え、
前記第1の通信信号を通信するための手段が、前記第1のLBTおよび前記第2のLBTに関連する前記LBT結果に基づいて前記第1のチャネルにおいて前記第1の通信信号を前記ワイヤレス通信デバイスと通信するようにさらに構成される、
請求項23に記載の装置。
【請求項３４】
周波数帯域において複数の帯域幅部分を示す第1の構成を第1のワイヤレス通信デバイスと通信するための手段であって、前記周波数帯域が、リソースブロックの第2のセットとともにインターレースされたリソースブロックの第1のセットを少なくとも含む、手段と、
第1のリッスンビフォアトーク(LBT)結果に基づいて、前記複数の帯域幅部分のうちの第1の帯域幅部分内の前記リソースブロックの第1のセットの少なくとも一部分を使用して、第1の通信信号を前記第1のワイヤレス通信デバイスと通信するための手段と
を備える装置。
【請求項３５】
前記リソースブロックの第1のセットが、前記周波数帯域において互いに一様に離間している、請求項34に記載の装置。
【請求項３６】
各々が複数のサブキャリアを含む複数のリソースブロックに対して、前記周波数帯域において基準開始サブキャリアを決定するための手段をさらに備え、
前記複数のリソースブロックが、前記リソースブロックの第1のセットおよび前記リソースブロックの第2のセットを含む、
請求項34に記載の装置。
【請求項３７】
前記周波数帯域が、前記複数のリソースブロックを含む複数のチャネルを含み、前記複数の帯域幅部分の各帯域幅部分が、前記複数のチャネルのうちの1つまたは複数のチャネルを含む、請求項36に記載の装置。
【請求項３８】
前記複数の帯域幅部分のための複数のガードバンドを決定するための手段をさらに備え、
前記基準開始サブキャリアが、前記複数のガードバンドの一部分を含むリソースブロックとオーバーラップしていない、各帯域幅部分の中のリソースブロックの個数に関連するメトリックに基づいて決定される、
請求項37に記載の装置。
【請求項３９】
前記複数のガードバンドが、前記複数のチャネルの中心周波数が前記周波数帯域における前記複数のサブキャリアのサブキャリア間隔の整数倍だけ互いに離間しているように決定される、請求項38に記載の装置。
【請求項４０】
前記基準開始サブキャリアを決定するための手段が、前記複数の帯域幅部分のうちの最大帯域幅を含む帯域幅部分のガードバンドに基づいて前記基準開始サブキャリアを決定するようにさらに構成される、請求項36に記載の装置。
【請求項４１】
前記基準開始サブキャリアが、前記複数の帯域幅部分のうちの最小帯域幅を含む帯域幅部分のガードバンドにさらに基づいて決定される、請求項36に記載の装置。
【請求項４２】
第2のLBT結果に基づいて、前記複数の帯域幅部分のうちの第2の帯域幅部分内の前記リソースブロックの第2のセットの少なくとも一部分を使用して、第2の通信信号を第2のワイヤレス通信デバイスと通信するための手段をさらに備え、
前記第2の帯域幅部分が前記第1の帯域幅部分と少なくとも部分的にオーバーラップしており、
前記第1のワイヤレス通信デバイスが前記第2のワイヤレス通信デバイスとは異なる、
請求項34に記載の装置。
【発明の詳細な説明】
【技術分野】
【０００１】
関連出願の相互参照
本出願は、以下に完全に記載されるかのように、またすべての適用可能な目的のために、それらの全体が参照により本明細書に組み込まれる、2019年2月27日に出願された米国非仮特許出願第16/287,893号、および2018年3月1日に出願されたインド特許出願第201841007756号の優先権および利益を主張する。
【０００２】
本出願は、ワイヤレス通信システムに関し、より詳細には、複数のネットワーク運用エンティティによって共有される周波数スペクトルの中の帯域幅部分(BWP:bandwidth part)を構成すること、および構成されたBWPに基づいて周波数スペクトルの中で通信することに関する。
【背景技術】
【０００３】
ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース(たとえば、時間、周波数、および電力)を共有することによって、複数のユーザとの通信をサポートすることが可能であり得る。ワイヤレス多元接続通信システムは、場合によってはユーザ機器(UE:user equipment)と呼ばれることがある複数の通信デバイスのための通信を各々が同時にサポートする、いくつかの基地局(BS:base station)を含んでよい。
【０００４】
拡張モバイルブロードバンド接続性に対する高まる需要を満たすために、ワイヤレス通信技術は、LTE技術から次世代ニューラジオ(NR:new radio)技術に進歩しつつある。たとえば、NRは、LTEよりも高い周波数においてより広い帯域幅(BW:bandwidth)を介して動作し得る。加えて、NRはBWPという概念を導入し、ここで、BSは、ネットワークシステムBW全体を介するのではなく、ネットワークシステムBWの一部分を介して通信するように、UEを動的に構成し得る。BWPの使用は、より広いネットワークシステムBWにもかかわらず、UE BW能力要件を低減すること、UEにおける電力消費を低減すること、シグナリングオーバーヘッドを低減すること、および/またはコンポーネントキャリア(CC:component carrier)内での負荷分散を可能にすることなどの、いくつかの利点をもたらすことができる。さらに、NRは、認可スペクトルから免許不要スペクトルおよび共有スペクトルまでの、異なるスペクトルタイプにわたって動作し得る。スペクトル共有により、事業者がスペクトルを機会主義的に集約して、高いBWサービスを動的にサポートすることが可能になる。スペクトル共有は、NR技術の利点を、認可スペクトルにアクセスできないことがある運用エンティティまで拡張することができる。
【０００５】
共有スペクトルまたは免許不要スペクトルの中で通信するときにコリジョンを回避するための1つの手法は、共有チャネルにおいて信号を送信する前に、共有チャネルがクリアであることを保証するためのリッスンビフォアトーク(LBT:listen-before-talk)プロシージャを使用することである。送信ノードは、周波数スペクトル内の1つまたは複数のチャネル(たとえば、周波数サブバンド)をリッスンしてよい。LBT結果に応じて、送信ノードは1つまたは複数のチャネルにアクセスし得る。いくつかの事例では、送信ノードは、LBTがアップリンク(UL)チャネルアクセス用であるのか、それともダウンリンク(DL)チャネルアクセス用であるのかに応じて、異なるチャネルをリッスンしてよい。異なるチャネルアクセスBWは、たとえば、異なるネットワーク運用エンティティのノードによる、隣接チャネルにおいての送信に対する干渉保護のために、異なるガードバンドを必要とすることがある。認可スペクトルを介したNRは、そのようなチャネルアクセス要件を有することがある。したがって、NR BWP構成モデルは、共有スペクトルまたは免許不要スペクトルの中での使用に対して直接適用され得ない。
【発明の概要】
【課題を解決するための手段】
【０００６】
以下では、説明する技術の基本的な理解をもたらすために本開示のいくつかの態様を要約する。本概要は、本開示のすべての企図される特徴の広範な概要ではなく、本開示のすべての態様の主要または重要な要素を識別することも、本開示のいずれかまたはすべての態様の範囲を定めることも意図しない。その唯一の目的は、後で提示するより詳細な説明の前置きとして、本開示の1つまたは複数の態様のいくつかの概念を要約の形態で提示することである。
【０００７】
たとえば、本開示の一態様では、ワイヤレス通信の方法は、周波数帯域において複数の帯域幅部分を示す第1の構成を第1のワイヤレス通信デバイスによって第2のワイヤレス通信デバイスと通信することであって、複数の帯域幅部分が、周波数帯域におけるリッスンビフォアトーク(LBT)に関連する予想チャネルアクセスパターンに基づくことと、LBT結果に基づいて複数の帯域幅部分のうちの第1の帯域幅部分において第1の通信信号を第1のワイヤレス通信デバイスによって第2のワイヤレス通信デバイスと通信することとを含む。
【０００８】
本開示の追加の態様では、ワイヤレス通信の方法は、周波数帯域において複数の帯域幅部分を示す第1の構成を第1のワイヤレス通信デバイスによって第2のワイヤレス通信デバイスと通信することであって、周波数帯域が、リソースブロックの第2のセットとともにインターレースされたリソースブロックの第1のセットを少なくとも含むことと、第1のリッスンビフォアトーク(LBT)結果に基づいて、複数の帯域幅部分のうちの第1の帯域幅部分内のリソースブロックの第1のセットの少なくとも一部分を使用して、第1の通信信号を第1のワイヤレス通信デバイスによって第2のワイヤレス通信デバイスと通信することとを含む。
【０００９】
本開示の追加の態様では、装置は、周波数帯域において複数の帯域幅部分を示す第1の構成を第2のワイヤレス通信デバイスと通信するための手段であって、複数の帯域幅部分が、周波数帯域におけるリッスンビフォアトーク(LBT)に関連する予想チャネルアクセスパターンに基づく、手段と、LBT結果に基づいて複数の帯域幅部分のうちの第1の帯域幅部分において第1の通信信号を第2のワイヤレス通信デバイスと通信するための手段とを含む。
【００１０】
本開示の追加の態様では、装置は、周波数帯域において複数の帯域幅部分を示す第1の構成を第1のワイヤレス通信デバイスと通信するための手段であって、周波数帯域が、リソースブロックの第2のセットとともにインターレースされたリソースブロックの第1のセットを少なくとも含む、手段と、第1のリッスンビフォアトーク(LBT)結果に基づいて、複数の帯域幅部分のうちの第1の帯域幅部分内のリソースブロックの第1のセットの少なくとも一部分を使用して、第1の通信信号を第1のワイヤレス通信デバイスと通信するための手段とを含む。
【００１１】
本発明の特定の例示的な実施形態の以下の説明を添付図面とともに検討すると、本発明の他の態様、特徴、および実施形態が当業者に明らかとなろう。本発明の特徴が、以下のいくつかの実施形態および図に対して説明されることがあるが、本発明のすべての実施形態は、本明細書で説明する有利な特徴のうちの1つまたは複数を含むことができる。言い換えれば、1つまたは複数の実施形態がいくつかの有利な特徴を有するものとして説明されることがあるが、そのような特徴のうちの1つまたは複数はまた、本明細書で説明する本発明の様々な実施形態に従って使用され得る。同様に、例示的な実施形態が、デバイス実施形態、システム実施形態、または方法実施形態として以下で説明されることがあるが、そのような例示的な実施形態が、様々なデバイス、システム、および方法において実装され得ることを理解されたい。
【図面の簡単な説明】
【００１２】
【図１】本開示のいくつかの実施形態による、ワイヤレス通信ネットワークを示す図である。
【図２】本開示のいくつかの実施形態による、帯域幅部分(BWP)構成を示す図である。
【図３】本開示のいくつかの実施形態による、ガードバンド構成を示す図である。
【図４】本開示の実施形態による、例示的なユーザ機器(UE)のブロック図である。
【図５】本開示の実施形態による、例示的な基地局(BS)のブロック図である。
【図６】本開示のいくつかの実施形態による、BWP構成方式を示す図である。
【図７】本開示のいくつかの実施形態による、BWP構成方式を示す図である。
【図８】本開示のいくつかの実施形態による、BWP構成方式を示す図である。
【図９】本開示のいくつかの実施形態による、周波数ホッピングを伴うBWP構成方式を示す図である。
【図１０】本開示のいくつかの実施形態による、インターレース型ベースの割振りを用いたBWP構成方式を示す図である。
【図１１】本開示のいくつかの実施形態による、基準リソースブロック構成方式を示す図である。
【図１２】本開示のいくつかの実施形態による、基準リソースブロックを考慮したBWP構成方式を示す図である。
【図１３】本開示のいくつかの実施形態による、BWPベースの通信方法のシグナリング図である。
【図１４】本開示の実施形態による、BWPベースの通信方法のフロー図である。
【発明を実施するための形態】
【００１３】
添付の図面に関して以下に記載する発明を実施するための形態は、様々な構成の説明として意図され、本明細書で説明する概念が実践され得る唯一の構成を表すものではない。発明を実施するための形態は、様々な概念の完全な理解をもたらすための具体的な詳細を含む。しかしながら、これらの具体的な詳細なしにこれらの概念が実践され得ることが、当業者に明らかとなろう。いくつかの事例では、そのような概念を不明瞭にすることを避けるために、よく知られている構造および構成要素がブロック図の形態で示される。
【００１４】
本開示は、一般に、ワイヤレス通信ネットワークとも呼ばれる、2つ以上のワイヤレス通信システムの間の許可された共有アクセスを提供すること、またはそれに参加することに関する。様々な実施形態では、技法および装置は、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワーク、LTEネットワーク、GSMネットワーク、第5世代(5G)またはニューラジオ(NR)ネットワーク、ならびに他の通信ネットワークなどの、ワイヤレス通信ネットワークのために使用され得る。本明細書で説明する「ネットワーク」および「システム」という用語は、互換的に使用され得る。
【００１５】
OFDMAネットワークは、発展型UTRA(E-UTRA)、IEEE802.11、IEEE802.16、IEEE802.20、flash-OFDMなどの無線技術を実装し得る。UTRA、E-UTRA、およびモバイル通信用グローバルシステム(GSM)は、ユニバーサルモバイル電気通信システム(UMTS)の一部である。詳細には、ロングタームエボリューション(LTE)は、E-UTRAを使用するUMTSのリリースである。UTRA、E-UTRA、GSM、UMTS、およびLTEは、「第3世代パートナーシッププロジェクト」(3GPP)という名称の組織から提供される文書に記載されており、cdma2000は、「第3世代パートナーシッププロジェクト2」(3GPP2)という名称の組織からの文書に記載されている。これらの様々な無線技術および規格は、知られているかまたは開発中である。たとえば、第3世代パートナーシッププロジェクト(3GPP)は、世界的に適用可能な第3世代(3G)モバイルフォン仕様を規定することを目的とする電気通信協会のグループ間の共同作業である。3GPPロングタームエボリューション(LTE)は、ユニバーサルモバイル電気通信システム(UMTS)モバイルフォン規格を改善することを目的とした3GPPプロジェクトである。3GPPは、次世代のモバイルネットワーク、モバイルシステム、およびモバイルデバイスのための仕様を規定し得る。本開示は、新たな異なる無線アクセス技術または無線エアインターフェースの集合を使用する、ネットワーク間でのワイヤレススペクトルへの共有アクセスを伴う、LTE、4G、5G、NR、およびそれ以降からのワイヤレス技術の発展に関係がある。
【００１６】
特に、5Gネットワークは、OFDMベースの統合エアインターフェースを使用して実装され得る、多様な展開、多様なスペクトル、ならびに多様なサービスおよびデバイスを企図する。これらの目標を達成するために、5G NRネットワーク用のニューラジオ技術の開発に加えて、LTEおよびLTE-Aのさらなる拡張が検討される。5G NRは、(1)超高密度(たとえば、約100万ノード/km2)、超低複雑度(たとえば、約数十ビット/秒)、超低エネルギー(たとえば、約10年以上のバッテリー寿命)、および困難なロケーションに到達する能力とともに深いカバレージを有する、マッシブモノのインターネット(IoT)への、(2)慎重な扱いを要する個人情報、金融情報、または機密情報を保護するための強力なセキュリティ、超高信頼性(たとえば、約99.9999%の信頼性)、超低レイテンシ(たとえば、約1ms)、およびモビリティの広い範囲を有するか、またはそれを欠くユーザを伴う、ミッションクリティカル制御を含み、かつ(3)超大容量(たとえば、約10Tbps/km2)、極度のデータレート(たとえば、マルチGbpsレート、100Mbps以上のユーザ体験レート)、ならびに高度な発見および最適化に対する深い認識を含む、拡張モバイルブロードバンドを伴う、カバレージを提供するためにスケーリングすることが可能である。
【００１７】
5G NRは、スケーラブルなヌメロロジーおよび送信時間間隔(TTI:transmission time interval)を伴い、動的な低レイテンシ時分割複信(TDD)/周波数分割複信(FDD)設計を用いてサービスおよび機能を効率的に多重化するための共通のフレキシブルなフレームワークを有し、かつマッシブ多入力多出力(MIMO)、ロバストなミリ波(mmWave)送信、高度なチャネルコーディング、およびデバイス中心のモビリティなどの高度なワイヤレス技術を伴う、最適化されたOFDMベースの波形を使用するように実装され得る。サブキャリア間隔のスケーリングを伴う、5G NRの中でヌメロロジーのスケーラビリティは、多様なスペクトルおよび多様な展開にわたる多様なサービスの運用に効率的に対処し得る。たとえば、3GHz未満のFDD/TDD実装の様々な屋外およびマクロカバレージ展開では、サブキャリア間隔は、たとえば、1、5、10、20MHzなどのBWにわたって15kHzで発生し得る。3GHzを超えるTDDの他の様々な屋外のスモールセルカバレージ展開の場合、サブキャリア間隔は、80/100MHzのBWにわたって30kHzで発生し得る。5GHz帯域の免許不要部分を介してTDDを使用する他の様々な屋内の広帯域実装の場合、サブキャリア間隔は、160MHzのBWにわたって60kHzで発生し得る。最後に、28GHzのTDDにおいてmmWave成分を用いて送信する様々な展開の場合、サブキャリア間隔は、500MHzのBWにわたって120kHzで発生し得る。
【００１８】
5G NRのスケーラブルなヌメロロジーは、多様なレイテンシおよびサービス品質(QoS)要件に対するスケーラブルなTTIを容易にする。たとえば、低レイテンシおよび高信頼性のために、より短いTTIが使用されてよく、さらに、より高いスペクトル効率のために、より長いTTIが使用されてよい。長いTTIと短いTTIとの効率的な多重化により、送信がシンボル境界上で開始することが可能になる。5G NRはまた、同じサブフレームの中にアップリンク/ダウンリンクのスケジューリング情報、データ、および認識応答を有する、自己完結一体型サブフレーム設計を企図する。自己完結一体型サブフレームは、免許不要または競合ベースの共有スペクトルの中での通信、現在のトラフィックニーズを満たすためにアップリンクとダウンリンクとの間で動的に切り替えるようにセルごとにフレキシブルに構成され得る適応型アップリンク/ダウンリンクをサポートする。
【００１９】
本開示の様々な他の態様および特徴が、以下でさらに説明される。本明細書の教示が多種多様な形態で具現され得ること、および本明細書で開示されている任意の特定の構造、機能、またはその両方が代表的なものにすぎず限定するものではないことが、明らかであろう。本明細書の教示に基づいて、本明細書で開示する一態様が任意の他の態様とは無関係に実装されてよいこと、およびこれらの態様のうちの2つ以上が様々な方法で組み合わせられてよいことを、当業者は諒解されよう。たとえば、本明細書に記載する任意の数の態様を使用して、装置が実装されてよく、または方法が実践されてよい。加えて、本明細書に記載する態様のうちの1つまた複数に加えて、またはそれら以外の、他の構造、機能、または構造および機能を使用して、そのような装置が実装されてよく、またはそのような方法が実践されてよい。たとえば、システム、デバイス、装置の一部として、かつ/またはプロセッサもしくはコンピュータ上で実行するためのコンピュータ可読媒体上に記憶された命令として、方法が実装されてよい。さらに、一態様は、特許請求の範囲の少なくとも1つの要素を備えてよい。
【００２０】
本出願は、複数のネットワーク運用エンティティによって共有される周波数スペクトルの中の帯域幅部分(BWP)を構成し、かつ構成されたBWPに基づいて周波数スペクトルの中で通信するためのメカニズムを説明する。たとえば、BSは、共有周波数帯域または免許不要周波数帯域を、複数のチャネルに区分し得る。周波数帯域におけるのチャネルアクセスは、チャネルの単位であってよい。BSは、周波数帯域におけるリッスンビフォアトーク(LBT)プロシージャに関連する予想チャネルアクセスパターンに基づいて、1つまたは複数のチャネルを含む複数のBWPを構成し得る。たとえば、BSまたはUEは、周波数帯域においてLBTを実行してよく、LBTの結果に基づいてチャネルのうちの1つまたは複数にアクセスしてよい。
【００２１】
一実施形態では、BSは、周波数帯域においてチャネルの任意の組合せを含むフレキシブルなBWP構成を提供し得る。たとえば、BWPは、1つもしくは複数の隣接するチャネル、または1つもしくは複数の隣接しないチャネルを含んでよい。BSは、BWPを示す構成を送信してよい。BSは、所与の時間において、1つのアクティブBWPを用いてUEを構成し得る。BSは、アクティブBWP内でのUEとの通信をスケジュールし得る。
【００２２】
一実施形態では、BSは、周波数帯域においてチャネルの中から1次チャネルを選択してよい。各BWPは、少なくとも1次チャネルを含んでよく、他のチャネルのうちの1つまたは複数を追加として含んでよい。BSまたはUEは、1次チャネルにおいてリッスンビフォアトーク(LBT)プロシージャを実行してよく、1次チャネルがクリアであるのかそれともビジーであるのかに基づいて、アクティブBWPの中で送信すべきかどうかを決定してよい。
【００２３】
一実施形態では、BSは、周波数インターレースの単位でリソースを割り振ってよい。たとえば、BSは、周波数帯域をリソースブロックに区分してよく、リソースブロックは、物理リソースブロック(PRB:physical resource block)と呼ばれることがある。各チャネルは、隣接するリソースブロックのグループを含んでよい。BSは、周波数帯域における複数の周波数インターレースを構成してよい。各周波数インターレースは、互いに離間したリソースブロックのセット、および別の周波数インターレースのリソースブロックのセットとともにインターレースしている周波数を含んでよい。BSは、異なるBWPに対する周波数インターレースが一貫しており互いに互換性のあるような周波数インターレースを構成し得る。BSは、共通の開始周波数(たとえば、共通基準PRB)を基準にして、PRB、BWP、および周波数インターレースを構成し得る。BSは、いくつかの周波数インターレースを通信のためにUEに割り振ってよい。BSは、UEのアクティブBWP内で、割り振られた周波数インターレースのリソースブロックを使用してUEと通信し得る。電力スペクトル密度(PSD)が限定された免許不要周波数帯域の中に通信があるとき、インターレース型波形ベースの送信は、送信電力利用の最大化を可能にすることができる。
【００２４】
一実施形態では、BSは、複数のリソースブロックに対して共通基準リソースブロックまたは開始周波数ロケーションを選択し得る。選択は、BWPごとのガードバンド要件、および/またはチャネルの中心周波数に依存し得る。選択は、各BWPの中のいくつかの使用可能なリソースブロックに関連する機能を最大化し得る。使用可能なリソースブロックとは、ガードバンドのいかなる部分も含まないリソースブロックを指す。
【００２５】
いくつかの実施形態では、BSは、ダウンリンク(DL)用のBWPとは無関係の、アップリンク(UL)用のBWPを構成し得る。たとえば、BSは、UL BWPおよびDL BWPが、同じ中心周波数または異なる中心周波数を有することを可能にし得る。加えて、BSは、UL BWPおよびDL BWPが、同じBWまたは異なるBWを有することを可能にし得る。開示する実施形態はNR免許不要(NR-U:NR-unlicensed)のコンテキストで説明されるが、開示する実施形態は、共有周波数帯域または免許不要周波数帯域を介して動作する、いかなるワイヤレス通信ネットワークとともに使用するのにも適している。
【００２６】
図1は、本開示のいくつかの実施形態によるワイヤレス通信ネットワーク100を示す。ネットワーク100は、5Gネットワークであってよい。ネットワーク100は、いくつかの基地局(BS)105および他のネットワークエンティティを含む。BS105は、UE115と通信する局であってよく、発展型ノードB(eNB:evolved node B)、次世代eNB(gNB:next generation eNB)、アクセスポイントなどと呼ばれることもある。各BS105は、特定の地理的エリアに通信カバレージを提供し得る。3GPPでは、「セル」という用語は、この用語が使用されるコンテキストに応じて、BS105のこの特定の地理的カバレージエリアおよび/またはカバレージエリアにサービスするBSサブシステムを指すことができる。
【００２７】
BS105は、マクロセル、またはピコセルもしくはフェムトセルなどのスモールセル、および/または他のタイプのセルに通信カバレージを提供し得る。マクロセルは、一般に、比較的大きい地理的エリア(たとえば、半径数キロメートル)をカバーし、ネットワークプロバイダのサービスに加入しているUEによる無制限アクセスを可能にし得る。ピコセルなどのスモールセルは、一般に、比較的小さい地理的エリアをカバーすることになり、ネットワークプロバイダのサービスに加入しているUEによる無制限アクセスを可能にし得る。フェムトセルなどのスモールセルも、一般に、比較的小さい地理的エリア(たとえば、自宅)をカバーすることになり、無制限アクセスに加えて、フェムトセルとの関連付けを有するUE(たとえば、限定加入者グループ(CSG)の中のUE、自宅の中のユーザ用のUEなど)による制限付きアクセスも提供し得る。マクロセル用のBSは、マクロBSと呼ばれることがある。スモールセル用のBSは、スモールセルBS、ピコBS、フェムトBS、またはホームBSと呼ばれることがある。図1に示す例では、BS105dおよび105eは通常のマクロBSであってよいが、BS105a〜105cは、3次元(3D)MIMO、全次元(FD:full dimension)MIMO、またはマッシブMIMOのうちの1つに対応するマクロBSであってよい。BS105a〜105cは、仰角と方位角の両方のビームフォーミングにおいて3Dビームフォーミングを活用して、カバレージおよび容量を増大させるために、それらのより高い次元のMIMO能力を利用し得る。BS105fは、ホームノードまたはポータブルアクセスポイントであり得るスモールセルBSであってよい。BS105は、1つまたは複数の(たとえば、2つ、3つ、4つなどの)セルをサポートしてよい。
【００２８】
ネットワーク100は、同期動作または非同期動作をサポートし得る。同期動作の場合、BSは類似のフレームタイミングを有してよく、異なるBSからの送信は時間的にほぼ位置合わせされ得る。非同期動作の場合、BSは異なるフレームタイミングを有することがあり、異なるBSからの送信は時間的に位置合わせされないことがある。
【００２９】
UE115は、ワイヤレスネットワーク100全体にわたって分散され、各UE115は固定またはモバイルであってよい。UE115は、端末、移動局、加入者ユニット、局などと呼ばれることもある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであってよい。一態様では、UE115は、ユニバーサル集積回路カード(UICC)を含むデバイスであってよい。別の態様では、UEは、UICCを含まないデバイスであってよい。いくつかの態様では、UICCを含まないUE115は、インターネットオブエブリシング(IoE:internet of everything)デバイスと呼ばれることもある。UE115a〜115dは、ネットワーク100にアクセスするモバイルスマートフォンタイプデバイスの例である。UE115はまた、マシンタイプ通信(MTC)、拡張MTC(eMTC)、狭帯域IoT(NB-IoT)などを含む、接続型通信のために特に構成された機械であってよい。UE115e〜115kは、ネットワーク100にアクセスする通信のために構成された様々な機械の例である。UE115は、マクロBS、スモールセルなどにかかわらず、任意のタイプのBSと通信できる場合がある。図1において、稲妻(たとえば、通信リンク)は、UE115と、ダウンリンク上および/もしくはアップリンク上でUE115にサービスするように指定されたBSであるサービングBS105との間のワイヤレス送信、またはBS間の所望の送信、ならびにBS間のバックホール送信を示す。
【００３０】
動作においては、BS105a〜105cは、3Dビームフォーミング、および多地点協調(CoMP)またはマルチ接続性などの協調空間技法を使用して、UE115aおよび115bにサービスし得る。マクロBS105dは、BS105a〜105cならびにスモールセルBS105fとのバックホール通信を実行し得る。マクロBS105dはまた、UE115cおよび115dが加入し、かつUE115cおよび115dによって受信される、マルチキャストサービスを送信し得る。そのようなマルチキャストサービスは、モバイルテレビジョンまたはストリームビデオを含んでよく、あるいは気象緊急事態、またはアンバーアラートもしくはグレーアラートなどの警報などの、地域社会情報を提供するための他のサービスを含んでよい。
【００３１】
ネットワーク100はまた、ドローンであり得るUE115eなどのミッションクリティカルデバイス用の超高信頼かつ冗長なリンクを伴う、ミッションクリティカル通信をサポートし得る。UE115eとの冗長な通信リンクは、マクロBS105dおよび105eからのリンク、ならびにスモールセルBS105fからのリンクを含んでよい。UE115f(たとえば、温度計)、UE115g(たとえば、スマートメーター)、およびUE115h(たとえば、ウェアラブルデバイス)などの、他のマシンタイプデバイスは、温度測定情報をスマートメーターUE115gへ通信するUE115fなどの、その情報をネットワークへ中継する別のユーザデバイスと通信することによって、スモールセルBS105fおよびマクロBS105eなどのBSと直接、またはマルチホップ構成でのいずれかで、ネットワーク100を通じて通信してよく、そうした情報は、次いで、スモールセルBS105fを通じてネットワークに報告される。ネットワーク100はまた、車両間(V2V:vehicle-to-vehicle)におけるような動的な低レイテンシTDD/FDD通信を通じて、追加のネットワーク効率をもたらし得る。
【００３２】
いくつかの実装形態では、ネットワーク100は、通信のためにOFDMベースの波形を利用する。OFDMベースシステムは、システムBWを複数の(K個の)直交サブキャリアに区分してよく、直交サブキャリアは、通常、サブキャリア、トーン、ビンなどとも呼ばれる。各サブキャリアは、データを用いて変調され得る。いくつかの事例では、隣接するサブキャリア間のサブキャリア間隔は固定されてよく、サブキャリアの総数(K)はシステムBWに依存し得る。システムBWはまた、サブバンドに区分されてよい。他の事例では、サブキャリア間隔および/またはTTIの持続時間は、スケーラブルであってよい。
【００３３】
一実施形態では、BS105は、ネットワーク100の中でのダウンリンク(DL)送信およびアップリンク(UL)送信のために、送信リソースを(たとえば、時間周波数リソースブロック(RB:resource block)の形態で)割り当てることまたはスケジュールすることができる。DLとはBS105からUE115への送信方向を指し、ULとはUE115からBS105への送信方向を指す。通信は、無線フレームの形態をなすことができる。無線フレームは、複数のサブフレーム、たとえば、約10個に分割されてよい。各サブフレームは、スロット、たとえば、約2個に分割され得る。各スロットは、さらにミニスロットに分割されてよい。周波数分割複信(FDD)モードでは、異なる周波数帯域における、同時のUL送信およびDL送信が行われてよい。たとえば、各サブフレームは、UL周波数帯域においてULサブフレーム、およびDL周波数帯域においてDLサブフレームを含む。時分割複信(TDD)モードでは、UL送信およびDL送信は、同じ周波数帯域を使用して異なる時間期間において行われる。たとえば、無線フレームの中のサブフレームのサブセット(たとえば、DLサブフレーム)が、DL送信のために使用されてよく、無線フレームの中のサブフレームの別のサブセット(たとえば、ULサブフレーム)が、UL送信のために使用されてよい。
【００３４】
DLサブフレームおよびULサブフレームは、さらにいくつかの領域に分割され得る。たとえば、各DLサブフレームまたはULサブフレームは、基準信号、制御情報、およびデータの送信用の、事前に定められた領域を有してよい。基準信号は、BS105とUE115との間の通信を容易にする所定の信号である。たとえば、基準信号は、特定のパイロットパターンまたは構造を有することができ、ここで、パイロットトーンは、事前に定められた時間および事前に定められた周波数に各々が配置される、動作可能なBWまたは周波数帯域にわたって広がってよい。たとえば、BS105は、UE115がDLチャネルを推定するのを可能にするために、セル固有基準信号(CRS:cell specific reference signal)および/またはチャネル状態情報基準信号(CSI-RS:channel state information-reference signal)を送信し得る。同様に、UE115は、BS105がULチャネルを推定するのを可能にするために、サウンディング基準信号(SRS:sounding reference signal)を送信し得る。制御情報は、リソース割当ておよびプロトコル制御を含んでよい。データは、プロトコルデータおよび/または動作データを含んでよい。いくつかの実施形態では、BS105およびUE115は、自蔵式のサブフレームを使用して通信し得る。自蔵式のサブフレームは、DL通信用の一部分およびUL通信用の一部分を含んでよい。自蔵式のサブフレームは、DLセントリックまたはULセントリックであり得る。DLセントリックサブフレームは、UL通信よりも長い、DL通信用の持続時間を含んでよい。ULセントリックサブフレームは、DL通信よりも長い、UL通信用の持続時間を含んでよい。
【００３５】
一実施形態では、ネットワーク100は、認可スペクトルを介して展開されるNRネットワークであってよい。BS105は、同期を容易にするために、ネットワーク100の中で同期信号(たとえば、1次同期信号(PSS:primary synchronization signal)および2次同期信号(SSS:secondary synchronization signal)を含む)を送信することができる。BS105は、初期ネットワークアクセスを容易にするために、ネットワーク100に関連するシステム情報(たとえば、マスタ情報ブロック(MIB:master information block)、残存最小システム情報(RMSI:remaining minimum system information)、および他のシステム情報(OSI:other system information)を含む)をブロードキャストすることができる。いくつかの事例では、BS105は、PSS、SSS、MIB、RMSI、および/またはOSIを、同期信号ブロック(SSB:synchronization signal block)の形式でブロードキャストし得る。
【００３６】
一実施形態では、ネットワーク100にアクセスすることを試みるUE115は、BS105からのPSSを検出することによる初期セル探索を実行してよい。PSSは、期間タイミングの同期を可能にしてよく、物理レイヤ識別情報値を示してよい。UE115は、次いで、SSSを受信し得る。SSSは、無線フレーム同期を可能にしてよく、セル識別情報値を提供してよく、セル識別情報値は、物理レイヤ識別情報値と組み合わせられてセルを識別し得る。SSSはまた、複信モードおよびサイクリックプレフィックス長の検出を可能にしてよい。TDDシステムなどのいくつかのシステムは、SSSを送信し得るがPSSを送信しないことがある。PSSとSSSの両方は、それぞれ、キャリアの中央部分に位置し得る。
【００３７】
PSSおよびSSSを受信した後、UE115は、物理ブロードキャストチャネル(PBCH)の中で送信されることがあるMIBを受信し得る。MIBは、初期ネットワークアクセス用のシステム情報、ならびにRMSIおよび/またはOSIに対するスケジューリング情報を含んでよい。MIBを復号した後、UE115はRMSIおよび/またはOSIを受信し得る。RMSIおよび/またはOSIは、ランダムアクセスチャネル(RACH)プロシージャ、ページング、物理アップリンク制御チャネル(PUCCH)、物理アップリンク共有チャネル(PUSCH)、電力制御、SRS、およびセル禁止(cell barring)に関係する無線リソース構成(RRC)構成情報を含んでよい。MIB、RMSI、および/またはOSIを取得した後、UE115は、BS105との接続を確立するためにランダムアクセスプロシージャを実行することができる。接続を確立した後、UE115およびBS105は、動作データが交換され得る通常動作段階に入ることができる。
【００３８】
一実施形態では、ネットワーク100は、システムBWまたはコンポーネントキャリア(CC)BWにわたって動作し得る。ネットワーク100は、システムBWを複数のBWP(たとえば、部分)に区分してよい。BS105は、いくつかのBWP(たとえば、システムBWのうちのいくつかの部分)を介して動作するように、UE115を動的に割り当ててよい。割り当てられるBWPは、アクティブBWPと呼ばれることがある。UE115は、BS105からのシグナリング情報を求めてアクティブBWPを監視してよい。BS105は、アクティブBWPの中でのUL通信またはDL通信のために、UE115をスケジュールし得る。いくつかの実施形態では、BS105は、UL通信およびDL通信のために、CC内の1対のBWPをUE115に割り当ててよい。たとえば、BWPペアは、UL通信用の1つのBWPおよびDL通信用の1つのBWPを含んでよい。
【００３９】
一実施形態では、ネットワーク100は、共有周波数帯域または免許不要周波数帯域を介して、たとえば、約3.5ギガヘルツ(GHz)、サブ6GHz以上の周波数において動作し得る。たとえば、BS105およびUE115は、共有通信媒体の中でリソースを共有する複数のネットワーク運用エンティティによって運用されてよく、通信のために共有媒体の中で送信機会(TXOP:transmission opportunity)を予約するために、リッスンビフォアトーク(LBT)プロシージャを採用し得る。ネットワーク100は、周波数帯域を、たとえば、各々が約20メガヘルツ(MHz)を占有する複数のチャネルに区分してよい。BS105は、ネットワーク100の中でのUE115との通信用のチャネルのうちの1つまたは複数を各々が含む、複数のBWPを構成し得る。BS105は、BWPのうちの1つをUE115用のアクティブBWPとして構成し得る。たとえば、BS105またはUE115は、周波数帯域における送信する前に、周波数帯域において複数のチャネル上でLBTを実行してよく、LBT結果に基づいて1つまたは複数のチャネルにおいて送信してよい。BS105は、チャネルアクセスを有する1つまたは複数のチャネルに基づいて、アクティブBWPをUE115に割り当ててよい。
【００４０】
いくつかの実施形態では、BS105は、チャネルのうちの1つをLBT目的のための1次チャネルとして割り当ててよく、1次チャネルに基づいてBWPを構成してよい。いくつかの実施形態では、BS105は、周波数帯域の中に周波数インターレースを構成してよく、周波数インターレースの単位でリソースをスケジュールしてよい。いくつかの実施形態では、BS105は、異なるBWPのためのガードバンドを決定してよく、各BWPの中での割振り用の使用可能なPRBの個数を考慮することによって、チャネルマッピングまたはBWPマッピングのために周波数帯域の中にPRBを構成してよい。共有周波数帯域または免許不要周波数帯域におけるの通信に対して、BWP、周波数インターレース、PRB、および/またはガードバンドを構成するためのメカニズムが、本明細書でより詳細に説明される。
【００４１】
図2は、本開示のいくつかの実施形態によるBWP構成200を示す。構成200は、ネットワーク100などのネットワークの中で、BS105などのBSおよびUE115などのUEによって採用され得る。図2において、x軸は、いくつかの一定の単位での周波数を表す。構成200は、複数のPRB202を含む周波数帯域210を示す。周波数帯域210は、任意の好適な周波数に、たとえば、約3.5GHz、サブ6GHz、またはmmWave帯域に位置してよい。周波数帯域210は、ネットワークの中でシステムBWまたはコンポーネントキャリアBWに相当し得る。一実施形態では、周波数帯域210は、NRネットワークによって使用される認可帯域であってよい。各PRB202は、複数のサブキャリアまたは周波数トーンを含んでよい。いくつかの実施形態では、各PRB202は、約12本のサブキャリアを含んでよい。周波数帯域210は、複数のBWP220に区分され得る。複数のBWP220は、オーバーラップすることもしないこともある。例示および説明の簡単のために、図2は2つのBWP220aおよび220bを示すが、本開示の実施形態が、任意の好適な個数の(たとえば、約3個、4個、またはもっと多くの)BWP220を含むようにスケーリングしてよいことが認識されよう。各BWP220は、隣接するPRB202のグループを含んでよく、BWP220の中での通信のために特定のヌメロロジー(たとえば、サブキャリア間隔、サイクリックプレフィックス(CP:cyclic prefix)タイプ)に関連してよい。
【００４２】
いくつかの実施形態では、サービングセルは、最大約4個のUL BWP220および約4個のDL BWP220を含んでよい。いくつかの実施形態では、サービングセルは、(たとえば、TDD動作用の)対スペクトルに対して最大約4対のUL/DL BWP220を含んでよい。言い換えれば、DL BWP220およびUL BWP220は、1対のUL/DL BWP220を形成するように一緒に構成される。一実施形態では、DL/UL BWPペアは同じ中心周波数を含むことがあるが、異なるUL BWおよびDL BWを含んでよい。
【００４３】
任意の所与の時間において、1つのDL BWP220および/または1つのUL BWP220がアクティブであってよい。UEは、アクティブDL BWP220の外側で、(たとえば、DLデータを搬送する)物理ダウンリンク共有チャネル(PDSCH)信号、(たとえば、DL制御情報、ULスケジューリング許可、および/またはDLスケジューリング許可を搬送する)物理ダウンリンク制御チャネル(PDCCH)信号、チャネル状態情報基準信号(CSI-RS)、またはトラッキング基準信号(TRS:tracking reference signal)を、監視または受信することを必要とされない。UEは、アクティブUL BWP220の外側で、PUSCH信号またはPUCCH信号を送信しなくてよい。
【００４４】
一実施形態では、構成200は、PRB202に対して共通のインデックス付け方式を使用してよい。たとえば、PRB202は、PRB0と呼ばれることがある共通基準PRB204に基づいて構成されてよい。各BWP220は、共通基準PRB204を基準にして、隣接するPRB202のグループを含んでよい。図示のように、PRB202は、共通基準PRB204から始めて0からN-1までインデックスが付けられ、ただし、Nは正の整数である。値Nは、周波数帯域210およびSCSのBW、またはPRB202のBWに依存し得る。一例として、あるUEは、40というインデックス付きのPRB202から60というインデックス付きのPRB202までのBWP220aを用いて構成されてよく、別のUEは、20というインデックス付きのPRB202から100というインデックス付きのPRB202までのBWP220bを用いて構成されてよい。
【００４５】
一実施形態では、UEは、共通基準PRB204(たとえば、PRB0)に関連する情報に関して、BSからRRCシグナリングを受信し得る。たとえば、RRCシグナリングは、基準ロケーションと共通基準PRB204の最低周波数サブキャリアとの間のオフセットを示してよい。たとえば、基準ロケーションは、PRB202のセットが1次セルの中にあるのかそれとも2次セルの中にあるのか、またはPRB202のセットがULアクセス用であるのかそれともDLアクセス用であるのかに応じて、RMSI、セル構成、UL構成の中でセル規定のSSBが送信されるかまたは示される、最低周波数サブキャリアに基づいて規定され得る。共通基準PRB204は、いくつかの周波数範囲の中の15kHzのSCS、または別の周波数範囲の中の30kHzのSCSに基づいて、規定され得る。オフセットは、PRB202の単位で示されてよい。
【００４６】
図3は、本開示のいくつかの実施形態によるガードバンド構成300を示す。構成300は、ネットワーク100などのネットワークの中で、BS105などのBSおよびUE115などのUEによって採用され得る。図3において、x軸は、いくつかの一定の単位での周波数を表す。構成300は、それぞれ、異なるBW302、304、および306を有する、チャネルアクセスシナリオ310、320、および330に対するガードバンド構成を示す。ガードバンドは、隣接チャネルにおいての同時送信からの干渉を緩和するために、チャネルBWの端部において含められる。周波数帯域210は、BW302、304、または306に対応するチャネルBWを有してよい。
【００４７】
シナリオ310では、チャネルアクセスは、たとえば、約256個のリソース要素(RE:resource element)(たとえば、約78.125kHzのSCSを有するサブキャリア)を含む、約20MHzのBW302を介してよい。構成300は、BW302の左端において約6個のREを含むガードバンド312L、およびBW302の右端において約5個のREを含むガードバンド312Rを構成し得る。通信信号314は、パターン充填されたボックスによって示すように、ガードバンド312を除外したBW302の使用可能な部分の中で送信され得る。
【００４８】
シナリオ320では、チャネルアクセスは、たとえば、約512個のREを含む、約40MHzのBW304を介してよい。構成300は、BW304の左端において約12個のREを含むガードバンド322L、およびBW304の右端において約11個のREを含むガードバンド322Rを構成し得る。通信信号324は、パターン充填されたボックスによって示すように、ガードバンド322を除外したBW304の使用可能な部分の中で送信され得る。
【００４９】
シナリオ330では、チャネルアクセスは、たとえば、約1024個のREを含む、約80MHzのBW306を介してよい。構成300は、BW306の左端において約12個のREを含むガードバンド332L、およびBW306の右端において約11個のREを含むガードバンド332Rを構成し得る。通信信号334は、パターン充填されたボックスによって示すように、ガードバンド332を除外したBW306の使用可能な部分の中で送信され得る。
【００５０】
わかるように、異なるチャネルアクセスBWは、異なるガードバンドBWを必要とし得る。加えて、チャネルにとっての左ガードバンドおよび右ガードバンドは、異なるBWを用いて構成されてよい。上記で説明したように、共有周波数帯域または免許不要周波数帯域におけるのチャネルアクセスは、LBT結果に応じてBWが異なってよい。したがって、BWが異なるBWP(たとえば、BWP220)は、異なるガードバンドBWを必要とし得る。共有周波数帯域または免許不要周波数帯域におけるBWPとともにガードバンドを構成するためのメカニズムが、本明細書でより詳細に説明される。
【００５１】
図4は、本開示の実施形態による例示的なUE400のブロック図である。UE400は、上記で説明したようなUE115であってよい。図示のように、UE400は、プロセッサ402、メモリ404、BWPベース通信モジュール408、モデムサブシステム412および無線周波数(RF)ユニット414を含むトランシーバ410、ならびに1つまたは複数のアンテナ416を含んでよい。これらの要素は、たとえば、1つまたは複数のバスを介して、互いに直接通信または間接通信していてよい。
【００５２】
プロセッサ402は、中央処理ユニット(CPU)、デジタル信号プロセッサ(DSP)、特定用途向け集積回路(ASIC)、コントローラ、フィールドプログラマブルゲートアレイ(FPGA)デバイス、別のハードウェアデバイス、ファームウェアデバイス、または本明細書で説明する動作を実行するように構成されたそれらの任意の組合せを含んでよい。プロセッサ402はまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装され得る。
【００５３】
メモリ404は、キャッシュメモリ(たとえば、プロセッサ402のキャッシュメモリ)、ランダムアクセスメモリ(RAM)、磁気抵抗RAM(MRAM)、読取り専用メモリ(ROM)、プログラマブル読取り専用メモリ(PROM)、消去可能プログラマブル読取り専用メモリ(EPROM)、電気的消去可能プログラマブル読取り専用メモリ(EEPROM)、フラッシュメモリ、ソリッドステートメモリデバイス、ハードディスクドライブ、他の形態の揮発性メモリおよび不揮発性メモリ、または異なるタイプのメモリの組合せを含んでよい。一実施形態では、メモリ404は非一時的コンピュータ可読媒体を含む。メモリ404は命令406を記憶し得る。命令406は、プロセッサ402によって実行されたとき、本開示の実施形態、たとえば、図6〜図14の態様に関して、UE115を参照しながら本明細書で説明する動作をプロセッサ402に実行させる命令を含んでよい。命令406は、コードと呼ばれることもある。「命令」および「コード」という用語は、任意のタイプのコンピュータ可読ステートメントを含むように広く解釈されるべきである。たとえば、「命令」および「コード」という用語は、1つまたは複数のプログラム、ルーチン、サブルーチン、関数、プロシージャなどを指すことがある。「命令」および「コード」は、単一のコンピュータ可読ステートメントまたは多くのコンピュータ可読ステートメントを含んでよい。
【００５４】
BWPベース通信モジュール408は、ハードウェア、ソフトウェア、またはそれらの組合せを介して実装され得る。たとえば、BWPベース通信モジュール408は、プロセッサ、回路、および/またはメモリ404の中に記憶されプロセッサ402によって実行される命令406として実装されてよい。BWPベース通信モジュール408は、本開示の様々な態様、たとえば、図6〜図14の態様のために使用され得る。たとえば、BWPベース通信モジュール408は、BS(たとえば、BS105)からBWP構成を受信し、アクティブBWP内の1次チャネルに基づいてLBTを実行し、BSからスケジューリング許可を受信し、かつ/またはスケジューリング許可に基づいてアクティブBWPの中でBSと通信するように構成される。いくつかの実施形態では、スケジューリング許可は周波数インターレースを示すことができる。そのような実施形態では、BWPベース通信モジュール408は、アクティブBWP内の割り振られた周波数インターレースの一部分を使用してBSと通信するように構成される。BWPに基づいてBSと通信するためのメカニズムが、本明細書でより詳細に説明される。
【００５５】
図示のように、トランシーバ410は、モデムサブシステム412およびRFユニット414を含んでよい。トランシーバ410は、BS105などの他のデバイスと双方向に通信するように構成され得る。モデムサブシステム412は、変調およびコーディング方式(MCS)、たとえば、低密度パリティ検査(LDPC)コーディング方式、ターボコーディング方式、畳み込みコーディング方式、デジタルビームフォーミング方式などに従って、メモリ404および/またはBWPベース通信モジュール408からのデータを変調および/または符号化するように構成され得る。RFユニット414は、(アウトバウンド送信においては)モデムサブシステム412からの、またはUE115もしくはBS105などの別のソースから発信する送信の、被変調/符号化データを処理する(たとえば、アナログデジタル変換またはデジタルアナログ変換などを実行する)ように構成され得る。RFユニット414は、デジタルビームフォーミングとともにアナログビームフォーミングを実行するようにさらに構成され得る。トランシーバ410の中で一緒に統合されるように示されるが、モデムサブシステム412およびRFユニット414は、UE115が他のデバイスと通信することを可能にするためにUE115において互いに結合されている、別個のデバイスであってよい。
【００５６】
RFユニット414は、変調および/または処理されたデータ、たとえば、データパケット(または、より一般的には、1つもしくは複数のデータパケットおよび他の情報を含み得るデータメッセージ)を、1つまたは複数の他のデバイスへの送信のためにアンテナ416に提供し得る。アンテナ416は、他のデバイスから送信されたデータメッセージをさらに受信し得る。アンテナ416は、トランシーバ410における処理および/または復調のために、受信されたデータメッセージを提供し得る。アンテナ416は、複数の送信リンクを維持するために、類似のまたは異なる設計の複数のアンテナを含んでよい。RFユニット414は、アンテナ416を構成し得る。
【００５７】
図5は、本開示の実施形態による例示的なBS500のブロック図である。BS500は、上記で説明したようなBS105であってよい。図示のように、BS500は、プロセッサ502、メモリ504、BWPベース通信モジュール508、モデムサブシステム512およびRFユニット514を含むトランシーバ510、ならびに1つまたは複数のアンテナ516を含んでよい。これらの要素は、たとえば、1つまたは複数のバスを介して、互いに直接通信または間接通信していてよい。
【００５８】
プロセッサ502は、特定のタイプのプロセッサとして様々な機能を有してよい。たとえば、これらは、CPU、DSP、ASIC、コントローラ、FPGAデバイス、別のハードウェアデバイス、ファームウェアデバイス、または本明細書で説明する動作を実行するように構成されたそれらの任意の組合せを含んでよい。プロセッサ502はまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成として実装され得る。
【００５９】
メモリ504は、キャッシュメモリ(たとえば、プロセッサ502のキャッシュメモリ)、RAM、MRAM、ROM、PROM、EPROM、EEPROM、フラッシュメモリ、ソリッドステートメモリデバイス、1つもしくは複数のハードディスクドライブ、メモリスタベースアレイ、他の形態の揮発性メモリおよび不揮発性メモリ、または異なるタイプのメモリの組合せを含んでよい。いくつかの実施形態では、メモリ504は非一時的コンピュータ可読媒体を含んでよい。メモリ504は命令506を記憶し得る。命令506は、プロセッサ502によって実行されたとき、本明細書で説明する動作、たとえば、図6〜図14の態様をプロセッサ502に実行させる命令を含んでよい。命令506はコードと呼ばれることもあり、コードは、図4に関して上記で説明したように、任意のタイプのコンピュータ可読ステートメントを含むように広く解釈されてよい。
【００６０】
BWPベース通信モジュール508は、ハードウェア、ソフトウェア、またはそれらの組合せを介して実装され得る。たとえば、BWPベース通信モジュール508は、プロセッサ、回路、および/またはメモリ504の中に記憶されプロセッサ502によって実行される命令506として実装されてよい。BWPベース通信モジュール508は、本開示の様々な態様、たとえば、図6〜図14の態様のために使用され得る。たとえば、BWPベース通信モジュール508は、周波数帯域において1次チャネルに基づいて周波数帯域においてBWPを構成し、BWP構成をUE(たとえば、UE115および400)へ送信し、1次チャネルに基づいて周波数帯域においてLBTを実行し、アクティブBWPをUEに割り当て、かつ/またはアクティブBWPの中でUEと通信するように構成される。BWPベース通信モジュール508は、BWPのBWに基づいてBWPのためのガードバンドを決定し、BWPをPRBグリッド上にマッピングするためにPRBグリッドに対する共通基準PRBを決定し、PRBグリッドに基づいて周波数インターレースを構成し、周波数インターレースをUEに割り振り、かつ/またはアクティブBWPおよび割り振られた周波数インターレースに基づいてUEと通信するようにさらに構成され得る。BWPに基づいてUEと通信するためのメカニズムが、本明細書でより詳細に説明される。
【００６１】
図示のように、トランシーバ510は、モデムサブシステム512およびRFユニット514を含んでよい。トランシーバ510は、UE115などの他のデバイスおよび/または別のコアネットワーク要素と双方向に通信するように構成され得る。モデムサブシステム512は、MCS、たとえば、LDPCコーディング方式、ターボコーディング方式、畳み込みコーディング方式、デジタルビームフォーミング方式などに従って、データを変調および/または符号化するように構成され得る。RFユニット514は、(アウトバウンド送信においては)モデムサブシステム512からの、またはUE115もしくは400などの別のソースから発信する送信の、被変調/符号化データを処理する(たとえば、アナログデジタル変換またはデジタルアナログ変換などを実行する)ように構成され得る。RFユニット514は、デジタルビームフォーミングとともにアナログビームフォーミングを実行するようにさらに構成され得る。トランシーバ510の中で一緒に統合されるように示されるが、モデムサブシステム512およびRFユニット514は、BS105が他のデバイスと通信することを可能にするためにBS105において互いに結合されている、別個のデバイスであってよい。
【００６２】
RFユニット514は、変調および/または処理されたデータ、たとえば、データパケット(または、より一般的には、1つもしくは複数のデータパケットおよび他の情報を含み得るデータメッセージ)を、1つまたは複数の他のデバイスへの送信のためにアンテナ516に提供し得る。アンテナ516は、他のデバイスから送信されたデータメッセージをさらに受信し得、トランシーバ510における処理および/または復調のために、受信されたデータメッセージを提供し得る。アンテナ516は、複数の送信リンクを維持するために、類似のまたは異なる設計の複数のアンテナを含んでよい。
【００６３】
図6は、本開示のいくつかの実施形態によるBWP構成方式600を示す。方式600は、ネットワーク100によって採用され得る。詳細には、BS105は、共有周波数帯域または免許不要周波数帯域604の中のBWPを構成するために方式600を採用し得る。図6において、x軸は、いくつかの一定の単位での周波数を表す。方式600は、チャネル構成602において示すように、周波数帯域604を複数のチャネル606に区分する。各チャネル606は、複数のPRB(たとえば、PRB202)を含んでよい。周波数帯域604およびチャネル606は、任意の好適なBWを有してよい。一例として、周波数帯域604は、約80MHzのBWを有してよく、約4個のチャネル606に区分されてよく、ここで、各チャネル606は約20MHzのBWを有してよい。チャネル606は、C0、C1、C2、およびC3として示される。
【００６４】
方式600は、フレキシブルなBWP構成を可能にし、ここで、チャネルアクセスは、1個、2個、3個、またはすべての4個のチャネル606を介してよい。加えて、方式600は、隣接しないチャネル606を介したチャネルアクセスを可能にし得る。言い換えれば、方式600は、構成200におけるような隣接するPRB202を含むようにBWP610を制限しなくてよい。したがって、方式600は、4個のチャネル606を用いて最高約15個の異なるBWP610を構成し得る。
【００６５】
方式600は、パターン充填されたボックスによって示される1個のチャネル606を各々が含む、BWP610のグループ608aを含む、BWPを構成し得る。たとえば、BWP610(0)はチャネルC0 606を含み、BWP610(1)はチャネルC1 606を含み、BWP610(2)はチャネルC2 606を含み、BWP610(3)はチャネルC3 606を含む。
【００６６】
方式600は、パターン充填されたボックスによって示される2個のチャネル606を各々が含む、BWP610のグループ608bをさらに構成し得る。たとえば、BWP610(4)はチャネルC0およびC1 606を含み、BWP610(5)はチャネルC1およびC2 606を含み、BWP610(6)はチャネルC2およびC3 606を含み、BWP610(7)はチャネルC0およびC2 606を含み、BWP610(8)はチャネルC0およびC3 606を含み、BWP610(9)はチャネルC1およびC3 606を含む。
【００６７】
方式600は、パターン充填されたボックスによって示される3個のチャネル606を各々が含む、BWP610のグループ608cを構成し得る。たとえば、BWP610(10)はチャネルC0、C1、およびC2 606を含み、BWP610(11)はチャネルC1、C2、およびC3 606を含み、BWP610(12)はチャネルC0、C2、およびC3 606を含み、BWP610(13)はチャネルC0、C1、およびC3 606を含む。方式600は、パターン充填されたボックスによって示されるすべての4個のチャネル606を含む、BWP610(14)をさらに構成し得る。
【００６８】
BSは、BWP610のうちのいずれかを用いてUEを構成し得る。BSは、対応するBWP610内のチャネル606においてLBTを実行した後、対応するBWP610の中でUEと通信し得る。BSは、異なるBWP610を異なるUEに割り当ててよい。BSは、オーバーラップするBWP610を異なるUEに割り当ててよい。たとえば、BSは、チャネルC3 606を含むBWP610(3)をあるUEに割り当ててよく、チャネルC2およびC3 606を含むBWP610(6)を別のUEに割り当ててよい。加えて、BSは、異なる中心周波数を有するDLおよびUL BWPペアを構成してよい。たとえば、BSは、UEとの通信のために、(たとえば、チャネルC1およびC3 606を含む)UL BWP610(9)と対にされた(たとえば、チャネルC0およびC1 606を含む)DL BWP610(4)を構成してよい。構成200と同様に、UEは、所与の時間において、1つのアクティブBWPまたはアクティブUL/DL BWPペアを用いて構成されてよく、アクティブDL BWPの外側で信号を監視すること、またはアクティブUL BWPの外側で信号を送信することを、必要とされなくてよい。
【００６９】
図7〜図10は、チャネルアクセスを得るためにLBTが実行される1次チャネルに基づいて、最大約4個のBWPを有する共有周波数帯域または免許不要周波数帯域(たとえば、周波数帯域)を構成するための、様々なメカニズムを示す。図7〜図10において、x軸は、いくつかの一定の単位での周波数を表す。
【００７０】
図7は、本開示のいくつかの実施形態によるBWP構成方式700を示す。方式700は、BS105などのBSによって採用され得る。方式700は、方式600のチャネル構成602におけるものと同じチャネル構造を使用して図示される。方式700は、チャネル606のうちの1つを1次チャネル702として選択し得る。たとえば、方式700は、パターン充填されたボックスによって示すように、チャネルC0 606を1次チャネル702として選択してよい。方式700は、各BWP710が1次チャネル702を含み得るような1次チャネル702に基づいて、BWP710を構成し得る。BWP710のうちのいずれかの中でのチャネルアクセスは、本明細書でより詳細に説明するように、1次チャネル702の中でLBT結果(たとえば、ビジーチャネルステータスまたはクリアチャネルステータス)に依存し得る。
【００７１】
方式700は、1次チャネル702を含む1つまたは複数の隣接するチャネル606を各々が含む、周波数帯域604の中の最大約4個のBWP710を構成し得る。たとえば、BWP710(0)は、1次チャネル702に相当するチャネルC0 606を含む。BWP710(1)は、1次チャネル702に相当するチャネルC0 606、およびチャネルC1 606を含む。BWP710(2)は、1次チャネル702に相当するチャネルC0 606、ならびにチャネルC1およびC2 606を含む。BWP710(3)は、1次チャネル702(たとえば、チャネルC0 606)を含むすべてのチャネル606を含む。
【００７２】
BSは、BWP710のうちのいずれかを用いてUEを構成し得る。BSまたはUEは、どのBWP710がチャネルアクセスの対象であるのかにかかわらず、チャネルアクセスを得るために1次チャネル702のチャネルステータスを監視してよい。構成200と同様に、BSは、所与の時間において、1つのアクティブBWPまたは1つのアクティブUL/DL BWPペアを用いてUEを構成してよく、UEは、アクティブDL BWPの外側でいかなる信号を監視することも、またはアクティブUL BWPの外側でいかなる信号を送信することも、必要とされなくてよい。
【００７３】
一実施形態では、BSは、UL通信またはDL通信のために、チャネルC0およびC1 606を含むBWP710(1)を用いてUEを構成し得る。BSは、UEとの通信のために、BWP710(1)内にリソースをスケジュールしてよい。BSは、DL信号をUEへ送信する前に、1次チャネル702の中でLBTを実行してよい。たとえば、BSは、BWP710(1)の中でのTXOPへのアクセスを得るために、1次チャネル702の中で(たとえば、所定のプリアンブル信号を含む)予約信号を求めてリッスンしてよい。1次チャネル702がクリアであるとき、BSは、予約されたTXOPの間、他のノードが周波数帯域604にアクセスすることを控え得るようにTXOPを予約するために、1次チャネル702の中で予約信号を送信してよい。その後、BSは、BWP710(1)の中でDL信号をUEへ送信してよい。BSが1次チャネル702の中でアクティブな送信を検出する限り、チャネルC1 606がビジーであるのかそれともアイドルであるのかにかかわらず、BSがBWP710(1)にアクセスすることを控え得ることに留意されたい。
【００７４】
一実施形態では、BSは、UEのためのUL/DL BWPペアを構成し得る。たとえば、UL/DL BWPペアは、DL用の(たとえば、チャネルC0およびC1 606を含む)BWP710(1)、およびUL用の(たとえば、チャネルC0 606を含む)BWP710(0)を含んでよい。代替として、UL/DL BWPペアは、DL用の(たとえば、チャネルC0およびC1 606を含む)BWP710(1)、およびUL用の(たとえば、チャネルC0 606を含む)BWP710(0)を含んでよい。さらに代替として、UL/DL BWPペアは、DL用の(たとえば、チャネルC0およびC1 606を含む)BWP710(1)、およびUL用の同じBWP710(1)を含んでよい。
【００７５】
図1に関して上記で説明したように、BSは、ネットワークに関連するシステム情報をSSBの形態でブロードキャストしてよい。BSがその中でSSBを送信するBWPは、初期アクティブDL BWPと呼ばれることがある。初期アクティブDL BWPは、RMSI通信用の制御リソースセット(コアセット)を用いて構成され得る。初期アクティブDL BWPが1次チャネル(たとえば、1次チャネル702)内に入るとき、方式700は、周波数帯域604の中の最高約3個の追加のBWP710を構成し得る。たとえば、方式700は、初期アクティブDL BWPを含む第1のBWP、ならびにBWP710(0)、710(1)、および710(3)を含み得る3つの追加のBWP710を構成し得る。SSBが1次チャネル内に入らないとき、方式700は、最高約4個のBWP710を構成し得る。構成200と同様に、チャネル606のセットは、いくつかの周波数ロケーション、たとえば、最低周波数PRB(たとえば、共通基準PRB204)に対する基準開始サブキャリア704において開始してよい。チャネル606をマッピングするための共通基準PRBを決定するためのメカニズムが、本明細書でより詳細に説明される。
【００７６】
図8は、本開示のいくつかの実施形態によるBWP構成方式800を示す。方式800は、BS105などのBSによって採用され得る。方式800は、方式600のチャネル構成602におけるものと同じチャネル構造を使用して図示される。方式800は方式700と類似であるが、方式800は、異なるチャネルロケーションにおける1次チャネル802を選択する。図示のように、1次チャネル802はチャネルC1 606に対応する。方式700と同様に、方式800は、1次チャネル802に基づいて周波数帯域604の中の約4個のBWP810を構成し得る。図示のように、BWP810(0)はチャネルC1 606を含み、BWP810(1)はチャネルC1およびC2 606を含み、BWP810(2)はチャネルC1、C2、およびC3 606を含み、BWP810(3)はすべてのチャネル606を含む。方式700と同様に、BWP810のうちのいずれかの中でのチャネルアクセスは、1次チャネル802の中でLBT結果に依存し得る。
【００７７】
図9は、本開示のいくつかの実施形態による、周波数ホッピングを伴うBWP構成方式900を示す。方式900は、BS105などのBSによって採用され得る。方式900は、方式600のチャネル構成602におけるものと同じチャネル構造を使用して図示される。方式900は、方式700および800と実質的に類似であるが、方式700および800におけるように半静的にBWPを構成するのではなく、1次チャネル902(たとえば、1次チャネル702および802)に周波数ホッピングを適用し得る。方式900は、1次チャネル902用の周波数ホッピングパターン904を決定し得る。たとえば、1次チャネル902は、矢印950によって示すように、チャネルC0 606とチャネルC2 606との間で周波数ホッピングしてよい。
【００７８】
時間t1において、方式900は、構成906によって示すように、チャネルC0 606における1次チャネル902を構成し得る。構成906は、方式700の中で、それぞれ、BWP710(0)、710(1)、710(2)、および710(3)と類似の、BWP910(t1)、920(t1)、930(t1)、および940(t1)を含む。
【００７９】
時間t2において、方式900は、周波数ホッピングされた構成908によって示すように、1次チャネル902をチャネルC0 606からチャネルC2 606に周波数ホッピングさせてよい。構成908は、BWP910(t2)、920(t2)、930(t2)、および940(t2)を含む。BWP910(t2)、920(t2)、930(t2)、および940(t2)は、1次チャネル周波数ホッピングパターン904に基づいて周波数ホッピングされる。図示のように、BWP910(t2)はチャネルC2 606を含み、BWP920(t2)はチャネルC2およびC3 606を含み、BWP930(t2)はチャネルC1、C2、およびC3 606を含み、BWP940(t2)はすべてのチャネル606を含む。
【００８０】
方式700および800と同様に、BWP910のうちのいずれかの中でのチャネルアクセスは、1次チャネル902の中でLBT結果に依存し得る。一実施形態では、BSは、ネットワークの中でUEに1次周波数ホッピングパターン(たとえば、周波数ホッピングパターン904)をシグナリングしてよい。BSおよびUEはLBTを実行してよく、周波数ホッピングパターンに基づいて互いに通信してよい。方式900は、1次チャネル902がチャネルC0 606とチャネルC2 606との間でホッピングする周波数ホッピングパターン904を示すが、周波数ホッピングパターン904は、任意の好適なホッピングパターンを含むことができる。たとえば、1次チャネル902は、C0からC1に、C1からC2に、C2からC3に、またC3からC0に戻って、チャネル606にわたって連続的にホッピングしてよい。
【００８１】
規制当局は、いくつかの免許不要周波数帯域を統率することがある。たとえば、規制当局は、いくつかの免許不要周波数帯域に対して、送信電力スペクトル密度(PSD)要件、またはメガヘルツ当り約10デシベルミリワット(dBm/MHz)という限定を設定することがある。しかしながら、UE(たとえば、UE115)および/またはBS(たとえば、BS105)は、通常、約23デシベルミリワット(dBm)で送信することが可能である。PSD要件を満たしながらノード(UEまたはBS)がより大きい電力、たとえば、最高約23dBmの全電力で送信することを可能にするための1つの手法は、より広いBWにわたって送信信号が広げられ得るように、ばらばらの周波数ブロックの中にリソースを割り振ることである。たとえば、割振りは、周波数帯域(たとえば、周波数帯域210および604)にわたって互いに離間しており、かつ周波数リソースの別のセットとともにインターレースしている、インターレース型周波数リソース(たとえば、PRB202)のセットを含んでよい。インターレース型周波数リソースのセットは、周波数インターレースと呼ばれることがある。
【００８２】
いくつかの実施形態では、周波数インターレースの数、および/または周波数インターレースにおける周波数リソースの数は、周波数帯域のBWおよび周波数リソースのBWに応じて変わってよい。たとえば、10MHzのBWP(たとえば、BWP710、810、910、920、930、および940)は、約5個のPRBだけ一様に離間した約10個のPRBを各々が含む、約5個の周波数インターレースを含んでよく、20MHzのBWPは、約10個のPRBだけ一様に離間した約10個のPRBSを各々が含む、約10個の周波数インターレースを含んでよい。したがって、異なるBWは、異なる周波数インターレース型構造を有してよい。異なる周波数インターレース型構造は、あるBWPの中の周波数インターレースに、別のBWPの中の周波数インターレースとオーバーラップさせることがある。したがって、異なるBWPを用いて構成された異なるUEを多重化することは複雑であり得る。そのような複雑さを克服するための1つの手法は、オーバーラップしないセル固有のBWPを構成するとともに、オーバーラップしない各BWP内で周波数インターレースを構成することである。BSは、アクティブBWPを用いてUEを構成してよく、UEとの通信のためにアクティブBWP内に周波数インターレースを割り振ってよい。しかしながら、そのような手法はフレキシビリティが限定されることがある。
【００８３】
図10は、本開示のいくつかの実施形態による、インターレース型ベースの割振りを用いたBWP構成方式1000を示す。方式1000は、BS105などのBSによって採用され得る。方式1000は、方式600のチャネル構成602におけるものと同じチャネル構造、および方式700におけるものと同じBWP構成を使用して図示される。方式1000は、上記で説明したフレキシビリティ限定を克服し得る周波数インターレース型構造を示す。方式1000は、方式700、800、および900に示すBWP構成とともに使用され得る。方式1000は、PRB202の粒度レベルで周波数帯域604を複数の周波数インターレース1010に区分し得る。例示および説明の簡単のために、図10は2つの周波数インターレース1010aおよび1010bを示すが、本開示の実施形態が周波数帯域604のBWに応じて任意の好適な数の(たとえば、約5個、10個、20個、またはもっと多くの)周波数インターレース1010を含むようにスケーリングしてよいことが認識されよう。
【００８４】
各周波数インターレース1010は、周波数帯域604の中で互いに離間したインターレース型周波数リソース1002(たとえば、PRB202)のセットを含む。たとえば、周波数インターレース1010aは、周波数リソース1002aのセットを含んでよく、周波数インターレース1010bは、周波数リソース1002aとともに周波数インターレースされた周波数リソース1002bの別のセットを含んでよい。周波数インターレース1010は、均一なパターンを含んでよく、ここで、周波数インターレース1010内の周波数リソース1002は、周波数帯域604にわたって一様に離間されている。したがって、周波数インターレース1010における周波数リソース1002の数は、周波数帯域604の帯域幅に依存し得る。
【００８５】
図10に示すように、PRB202は、基準開始サブキャリア704を基準にして規定される。したがって、周波数リソース1002のセット、または周波数インターレース1010は、基準開始サブキャリア704に基づいて構成される。したがって、基準開始サブキャリア704は、周波数インターレース1010規定のための基準である。
【００８６】
方式1000は、周波数インターレース1010の単位でリソースをスケジュールしてよい。たとえば、BSは、アクティブBWP710(0)を用いて第1のUEを、およびアクティブBWP710(1)を用いて第2のUEを構成し得る。BSは、第1のUEに対する周波数インターレース1010a、および第2のUEに対する周波数インターレース1010bをスケジュールし得る。BSは、シンボルXを用いてマークされたアクティブBWP710(0)内で、周波数インターレース1010aの周波数リソース1002aを使用して第1のUEと通信し得る。BSは、シンボル0を用いてマークされたアクティブBWP710(1)内で、周波数インターレース1010bの周波数リソース1002bを使用して第2のUEと通信し得る。わかるように、第1のUEおよび第2のUEのための割振りはオーバーラップしていない。
【００８７】
いくつかの実施形態では、BWP710は、BWP710の左端および右端におけるガードバンド(たとえば、ガードバンド312、322、および332)とともに構成され得る。そのような実施形態では、BWP710の端部における周波数インターレースのPRB202周波数リソース1002は、本明細書でより詳細に説明するように、割振りのために使用されなくてよい。方式1000は方式700のコンテキストで説明されるが、方式1000は、それぞれ、図6、図8、および図9に関して上記で説明した、方式600、800、および/または900とともに使用され得る。
【００８８】
図11は、本開示のいくつかの実施形態による基準リソースブロック構成方式1100を示す。方式1100は、BS105などのBSによって採用され得る。方式1100は、方式600のチャネル構成602におけるものと同じチャネル構造を使用して図示される。図11において、x軸は、いくつかの一定の単位での周波数を表す。方式600〜1000に示したように、周波数帯域は、異なるBWのBWP(たとえば、BWP610、710、810、または910)を含んでよい。異なるBWを有する異なるBWPは、異なるサイズまたはBWのガードバンド(たとえば、ガードバンド312、322、および332)を必要とし得る。たとえば、図3に関して上記で説明した構成300に示すように、より広いBWは、より広いガードバンドを必要とし得る。方式1100は、PRBグリッドに対する共通基準PRB(たとえば、共通基準PRB204および704)を選択してよく、ここで、チャネル(たとえば、チャネル606)およびBWPは、PRBグリッドにマッピングされ得る。
【００８９】
構成1110において、方式1100は、周波数帯域604の中でBWが最も広くまたは最も大きい、BWPのためのガードバンド1112を基準にして、共通基準PRB(たとえば、共通基準PRB204)に対する基準開始サブキャリア1114(たとえば、基準開始サブキャリア704)を構成する。たとえば、構成1110は、BWP(たとえば、BWP710(3)、810(3)、および940)がすべての4個のチャネル606を含むことに基づいて、共通基準PRBに対する基準開始サブキャリア1114を選択してよい。図示のように、基準開始サブキャリア1114は、ガードバンド1112の後の周波数ロケーションにある。
【００９０】
構成1120において、方式1100は、周波数帯域604の中でBWが最も狭くまたは最も小さい、BWPのためのガードバンド1122を基準にして、共通基準PRBに対する基準開始サブキャリア1124を構成する。たとえば、構成1110は、BWP(たとえば、BWP710(0)、810(0)、および910)が1個のチャネル606を含むことに基づいて、共通基準PRBに対する基準開始サブキャリア1124を選択してよい。図示のように、基準開始サブキャリア1124は、ガードバンド1122の後の周波数ロケーションにある。
【００９１】
構成1130において、方式1100は、ゼロガードバンド(zero guard band)を有するシステム周波数帯域604のBWを基準にして、共通基準PRBに対する基準開始サブキャリア1134を構成する。
【００９２】
異なる構成1110、1120、および1130は、異なるBW効率をもたらし得る。たとえば、BWがより狭いBWPは、ガードバンド1112よりも狭いガードバンドを必要とし得るので、最も広いガードバンド1112を除外する構成1110は、BWがより狭いBWPに、BW効率をより低くさせることがある。BWがより広いBWPは、ガードバンド1122よりも広いガードバンドを必要とし得るので、最も狭いガードバンド1122を除外する構成1120は、BWがより広いBWPに、BW効率をより低くさせることがある。ガードバンドの任意の部分を含むPRBは、割振り用に使用され得ない。したがって、帯域端部における少なくとも最初のPRBは、サブキャリアのうちの少なくともいくつかがより広いガードバンドの一部であり得るので、割振り用に使用できないことがある。同様に、構成1130を使用するとき、帯域端部における少なくとも最初のPRBは、サブキャリアのうちの少なくともいくつかがガードバンドの一部として構成されることがあるので、いかなるBWPのための割振り用にも使用できないことがある。わかるように、いくつかのBWPの中の使用可能なPRBの個数は、共通基準PRBの周波数開始ロケーション(たとえば、基準開始サブキャリア1114、1124、または1134)に依存し得る。
【００９３】
図12は、本開示のいくつかの実施形態による、基準リソースブロックを考慮したBWP構成方式1200を示す。方式1200は、BS105などのBSによって採用され得る。方式1200は、方式600のチャネル構成602におけるものと同じチャネル構造、および方式700におけるものと同じBWP構成を使用して図示される。図12において、x軸は、いくつかの一定の単位での周波数を表す。方式1200は、BWP710ごとのガードバンド1252(たとえば、ガードバンド312、322、332、1112、および1122)、および各チャネル606の中心周波数1214を考慮することによって、周波数帯域(たとえば、周波数帯域604)の中の、共通基準PRB1208(たとえば、共通基準PRB204)に対する基準開始サブキャリア(たとえば、基準開始サブキャリア704、1114、1124、および1134)を選択し得る。
【００９４】
上記で説明したように、各チャネル606は、特定のSCSのサブキャリアを含むPRB202のグループを含んでよい。方式1200は、チャネル606の中心周波数1214が、(たとえば、矢印1206によって示すような)SCSの整数倍である周波数分離1220だけ離間されるような、共通基準PRB1208に対する基準開始サブキャリア1204を選択し得る。
【００９５】
加えて、方式1200は、ガードバンド1252のサイズまたはBWを調整してよく、BWP710ごとの各ガードバンド1252が、十分な隣接チャネル保護をもたらすことができ、かつ(たとえば、矢印1202によって示すように)最小個数のPRB202内にあり得るような、共通基準PRB1208に対する基準開始サブキャリア1204を選択してよい。上記で説明したように、任意のガードバンド部分を含むPRB202は、割振り用に使用され得ない。言い換えれば、方式1200は、BWP710にとってBW効率を最大化するように、共通基準PRB1208に対する基準開始サブキャリア1204を選択してよい。たとえば、方式1200は、各BWP710の中の使用可能なPRB202の個数に関連するメトリックまたはコスト関数に基づいて、共通基準PRB1208に対する基準開始サブキャリア1204を選択してよい。使用可能なPRB202とは、ガードバンド1252のいかなる部分ともオーバーラップしていないPRBである。いくつかの実施形態では、方式1200は、BWP710の中の使用可能なPRB202の個数の重み付き和を含むメトリックを含んでよい。
【００９６】
共通基準PRB1208に対する基準開始サブキャリア1204を決定した後、方式1200は、共通基準PRB1208を基準にしてPRBグリッド1260を構成し、マッピング1250に示すようにチャネル606をPRBグリッド1260にマッピングする。たとえば、ガードバンド1252の各々は、1つのPRB202内にある。
【００９７】
方式1200は方式700のコンテキストで説明されるが、方式1200は、それぞれ、図6、図8、図9、および/または図10に関して上記で説明した、方式600、800、900、および/または1000とともに使用され得る。一実施形態では、方式600とともに方式1200を採用するとき、別のデバイスが、隣接しないチャネルの間のチャネルにおいて送信することがあるので、方式1200は、隣接しないチャネルの端部において、隣接しないチャネルのためのガードバンドを決定してよい。たとえば、BWP610(12)の中では、別のデバイスがチャネルC1 606の中で送信することがあるので、チャネルC2 606の左端において左ガードバンドが挿入されてよく、チャネルC0 606の右端において右ガードバンドが挿入されてよい。
【００９８】
図13は、本開示のいくつかの実施形態によるBWPベースの通信方法1300のシグナリング図である。方法1300は、ネットワーク(たとえば、ネットワーク100)の中で、BS(たとえば、BS105および500)およびUE(たとえば、UE115および400)によって実装される。方法1300のステップは、BSおよびUEのコンピューティングデバイス(たとえば、プロセッサ、処理回路、および/または他の好適な構成要素)によって実行され得る。図示したように、方法1300は、列挙されたいくつかのステップを含むが、方法1300の実施形態は、列挙されたステップの前、その後、またその中間に、追加のステップを含んでよい。いくつかの実施形態では、列挙されたステップのうちの1つまたは複数は省略されてよく、または異なる順序で実行されてもよい。
【００９９】
ステップ1310において、BSはBWP構成を決定する。BSは、周波数帯域(たとえば、周波数帯域604)を複数のチャネル(たとえば、チャネル606)に区分し得る。BSは、周波数帯域におけるLBTに関連する予想チャネルアクセスパターンに基づいて、周波数帯域においていくつかのBWP(たとえば、BWP610、710、810、910、920、930、および940)を決定し得る。いくつかの実施形態では、BWPのうちの1つまたは複数は、たとえば、方式600に示すように、隣接しないチャネルを含んでよい。いくつかの実施形態では、BSは、たとえば、方式700、800、および/または900に示すように、BWPの中の隣接しないチャネルを許容しなくてよい。いくつかの実施形態では、BSは、たとえば、方式700および800を採用することによって、LBTのために使用される1次チャネル(たとえば、1次チャネル702、802、および902)に基づいてBWPを構成し得る。
【０１００】
BSは、たとえば、方式1100および/または1200を採用することによって、PRBグリッド(たとえば、PRBグリッド1260)に対する基準開始サブキャリア(たとえば、基準開始サブキャリア704、1114、1124、1134、および1204)または共通基準PRB(たとえば、PRB204および1208)を選択し得、BWPをPRBグリッドにマッピングし得る。一実施形態では、BSは、たとえば、方式900に示すように、1次チャネルのための周波数ホッピングパターン(たとえば、周波数ホッピングパターン904)をさらに決定し得る。一実施形態では、BSは、たとえば、方式1000に示すように、複数の周波数インターレース(たとえば、周波数インターレース1010)をさらに構成し得る。
【０１０１】
ステップ1320において、BSはBWP構成をUEへ送信する。BWP構成は、構成されたBWPおよび/または周波数インターレース(たとえば、周波数インターレース1010)に関連する情報を示してよい。BSは、RRCメッセージの中でBWP構成を送信し得る。
【０１０２】
ステップ1330において、BSは、1つまたは複数のチャネルにおいてLBTを実行する。たとえば、LBTは、1つまたは複数のチャネルに対するチャネルクリアステータスを示してよい。いくつかの実施形態では、BWPが1次チャネルに基づいて構成されると、BSは1次チャネルに基づいてLBTを実行し得る。
【０１０３】
ステップ1340において、LBTが成功して完了すると、BSは、LBTをパスしたチャネルを含むアクティブBWPをUEに割り当てる。
【０１０４】
ステップ1350において、BSは、アクティブBWP構成をUEへ送信する。構成は、割り当てられたアクティブBWPを含んでよい。
【０１０５】
ステップ1360において、BSは、UEのための割振りを決定する。BSは、UEのためのアクティブBWP内にリソースを割り振る。いくつかの実施形態では、BSは、UEに対する周波数インターレースを割り振ってよい。
【０１０６】
ステップ1370において、BSは、たとえば、物理ダウンリンク制御チャネル(PDCCH)の中のダウンリンク制御情報(DCI)の形態で、割振りをUEへ送信する。
【０１０７】
ステップ1380において、UEは、割振りの中で示されるリソースを使用して通信信号をBSへ送信する。割振りが、割り振られた周波数インターレースを示すとき、UEは、アクティブBWP内の周波数インターレースの部分を使用して通信信号を送信してよい。いくつかの実施形態では、UEは、通信信号を送信する前に、割り当てられたアクティブBWPの中でLBTを随意に実行してよい。いくつかの事例では、通信信号は、PUCCH信号またはPUSCH信号のうちの少なくとも1つを含んでよい。
【０１０８】
図14は、本開示の実施形態によるBWPベースの通信方法のフロー図である。方法1400のステップは、ワイヤレス通信デバイスのコンピューティングデバイス(たとえば、プロセッサ、処理回路、および/または他の好適な構成要素)、またはステップを実行するための他の好適な手段によって実行され得る。一例では、UE115またはUE400などのワイヤレス通信デバイスは、方法1400のステップを実行するために、プロセッサ402、メモリ404、BWPベース通信モジュール408、トランシーバ410、モデム412、および1つまたは複数のアンテナ416などの、1つまたは複数の構成要素を利用し得る。別の例では、BS105またはBS500などのワイヤレス通信デバイスは、方法1400のステップを実行するために、プロセッサ502、メモリ504、BWPベース通信モジュール508、トランシーバ510、モデム512、および1つまたは複数のアンテナ516などの、1つまたは複数の構成要素を利用し得る。方法1400は、それぞれ、図7、図8、図9、図10、図11、図12、および/または図13に関して説明した、方式700、800、900、1000、1100、1200、および/または方法1300におけるような類似のメカニズムを採用してよい。図示したように、方法1400は、列挙されたいくつかのステップを含むが、方法1400の実施形態は、列挙されたステップの前、その後、またその中間に、追加のステップを含んでよい。いくつかの実施形態では、列挙されたステップのうちの1つまたは複数は省略されてよく、または異なる順序で実行されてもよい。
【０１０９】
ステップ1410において、方法1400は、周波数帯域(たとえば、周波数帯域604)の中の複数のBWP(たとえば、BWP710、810、910、920、930、および940)を示す第1の構成を第1のワイヤレス通信デバイスによって第2のワイヤレス通信デバイスと通信することを含み、複数のBWPは、周波数帯域におけるLBTに関連する予想チャネルアクセスに基づく。一実施形態では、第1のワイヤレス通信デバイスはBSに相当してよく、第2のワイヤレス通信デバイスはUEに相当してよい。別の実施形態では、第1のワイヤレス通信デバイスはUEに相当してよく、第2のワイヤレス通信デバイスはBSに相当してよい。
【０１１０】
ステップ1420において、方法1400は、LBT結果に基づいて複数のBWPのうちの第1のBWP(たとえば、アクティブBWP)の中で第1の通信信号を第1のワイヤレス通信デバイスによって第2のワイヤレス通信デバイスと通信することを含む。いくつかの事例では、第1の通信信号は、PUCCH信号またはPUSCH信号のうちの少なくとも1つを含んでよい。
【０１１１】
一実施形態では、周波数帯域は、複数のチャネル(たとえば、チャネル606)を含んでよい。複数のBWPの各BWPは、複数のチャネルのうちの1つまたは複数のチャネルを含んでよい。一実施形態では、第1の帯域幅部分は、複数のチャネルのうちの少なくとも2つの隣接しないチャネルを含む。一実施形態では、複数のチャネルは共通1次チャネルを含む。複数のBWPの各BWPは、共通1次チャネルを含んでよい。複数のBWPの各BWPは、複数のチャネルのうちの1つまたは複数の隣接するチャネルを含んでよい。
【０１１２】
一実施形態では、第1のワイヤレス通信デバイスは、各々が周波数帯域において複数のサブキャリアを含む複数のリソースブロック(たとえば、PRB202)に対して、周波数帯域において基準開始サブキャリア(たとえば、基準開始サブキャリア704、1114、1124、1134、および1204)をさらに決定し得る。複数のチャネルの各チャネルは、複数のリソースブロックのうちの1つまたは複数のリソースブロックを含む。
【０１１３】
一実施形態では、第1のワイヤレス通信デバイスは、複数のBWPのための複数のガードバンド(たとえば、ガードバンド1252)をさらに決定し得る。一実施形態では、決定は、複数のガードバンドの一部分を含むリソースブロックとオーバーラップしていない、各帯域幅部分の中のリソースブロックの個数に関連するメトリックに基づくことができる。一実施形態では、決定は、複数のチャネルの中心周波数(たとえば、中心周波数1214)が周波数帯域において複数のサブキャリアのサブキャリア間隔の整数倍だけ互いに離間しているようなものであってよい。一実施形態では、決定は、たとえば、構成1120に示すように、複数の帯域幅部分のうちの最小帯域幅を含むBWPのガードバンドに基づくことができる。一実施形態では、決定は、たとえば、構成1110に示すように、複数の帯域幅部分のうちの最も広い帯域幅を含むBWPのガードバンドに基づくことができる。
【０１１４】
一実施形態では、周波数帯域は、リソースブロックの第2のセット(たとえば、周波数インターレース1010b)とともにインターレースされたリソースブロックの少なくとも第1のセット(たとえば、周波数インターレース1010a)を含む。そのような一実施形態では、第1のワイヤレス通信デバイスは、第1のBWP内のリソースブロックの第1のセットの少なくとも一部分の中で第1の通信信号を第2のワイヤレス通信デバイスと通信し得る。
【０１１５】
一実施形態では、第1のワイヤレス通信デバイスは、第2の構成を第2のワイヤレス通信デバイスと通信し得る。第2の構成は、共通1次チャネルのための周波数ホッピングパターン(たとえば、周波数ホッピングパターン904)を示してよい。第1のワイヤレス通信は、周波数ホッピングパターンに基づいて第1のBWPに周波数ホッピングを適用し得る。第1のワイヤレス通信デバイスは、周波数ホッピングされた第1の帯域幅部分において第2の通信信号を第2のワイヤレス通信デバイスと通信し得る。
【０１１６】
情報および信号は、様々な異なる技術および技法のうちのいずれかを使用して表されてよい。たとえば、上記の説明全体にわたって言及されることがあるデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０１１７】
本明細書の本開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサは、マイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携した1つもしくは複数のマイクロプロセッサ、または任意の他のそのような構成)として実装され得る。
【０１１８】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶され得るか、またはコンピュータ可読媒体を介して送信され得る。他の例および実装形態が、本開示および添付の特許請求の範囲内に入る。たとえば、ソフトウェアの性質により、上記で説明した機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置において物理的に位置し得る。また、特許請求の範囲内を含めて本明細書で使用する場合、項目の列挙(たとえば、「のうちの少なくとも1つ」または「のうちの1つまたは複数」などの句に続く項目の列挙)の中で使用されるような「または」は、たとえば、[A、B、またはCのうちの少なくとも1つ]という列挙がAまたはBまたはCまたはABまたはACまたはBCまたはABC(すなわち、AおよびBおよびC)を意味するような、包括的な列挙を示す。
【０１１９】
本開示のさらなる実施形態は、周波数帯域において複数の帯域幅部分を示す第1の構成を第1のワイヤレス通信デバイスによって第2のワイヤレス通信デバイスと通信することであって、複数の帯域幅部分が、周波数帯域におけるリッスンビフォアトーク(LBT)に関連する予想チャネルアクセスパターンに基づくことと、LBT結果に基づいて複数の帯域幅部分のうちの第1の帯域幅部分において第1の通信信号を第1のワイヤレス通信デバイスによって第2のワイヤレス通信デバイスと通信することとを備える、ワイヤレス通信の方法を含む。
【０１２０】
いくつかの実施形態では、周波数帯域は、複数のチャネルを含み、複数の帯域幅部分の各帯域幅部分は、複数のチャネルのうちの1つまたは複数のチャネルを含む。いくつかの実施形態では、第1の帯域幅部分は、複数のチャネルのうちの少なくとも2つの隣接しないチャネルを含む。いくつかの実施形態では、複数のチャネルは、共通1次チャネルを含み、複数の帯域幅部分の各帯域幅部分は、共通1次チャネルを含む。いくつかの実施形態では、各帯域幅は、複数のチャネルのうちの1つまたは複数の隣接するチャネルを含む。いくつかの実施形態では、方法は、共通1次チャネルのための周波数ホッピングパターンを示す第2の構成を第1のワイヤレス通信デバイスによって第2のワイヤレス通信デバイスと通信することと、周波数ホッピングパターンに基づいて第1の帯域幅部分を第1のワイヤレス通信デバイスによって周波数ホッピングさせることと、周波数ホッピングされた第1の帯域幅部分において第2の通信信号を第1のワイヤレス通信デバイスによって第2のワイヤレス通信デバイスと通信することとをさらに備える。いくつかの実施形態では、方法は、各々が周波数帯域において複数のサブキャリアを含む複数のリソースブロックに対して、周波数帯域において基準開始サブキャリアを第1のワイヤレス通信デバイスによって決定することをさらに備え、複数のチャネルの各チャネルは、複数のリソースブロックのうちの1つまたは複数のリソースブロックを含む。いくつかの実施形態では、方法は、複数の帯域幅部分のための複数のガードバンドを第1のワイヤレス通信デバイスによって決定することをさらに備え、基準開始サブキャリアを決定することは、複数のガードバンドの一部分を含むリソースブロックとオーバーラップしていない、各帯域幅部分の中のリソースブロックの個数に関連するメトリックに基づく。いくつかの実施形態では、複数のガードバンドを決定することは、複数のチャネルの中心周波数が周波数帯域において複数のサブキャリアのサブキャリア間隔の整数倍だけ互いに離間するように、複数のガードバンドを決定することをさらに含む。いくつかの実施形態では、決定することは、複数の帯域幅部分のうちの最大帯域幅を含む帯域幅部分のガードバンドに基づく。いくつかの実施形態では、決定することは、複数の帯域幅部分のうちの最小帯域幅を含む帯域幅部分のガードバンドに基づく。いくつかの実施形態では、周波数帯域は、リソースブロックの第2のセットとともにインターレースされたリソースブロックの第1のセットを少なくとも含み、通信することは、第1の帯域幅部分内のリソースブロックの第1のセットの少なくとも一部分の中で第1の通信信号を第1のワイヤレス通信デバイスによって第2のワイヤレス通信デバイスと通信することを含む。いくつかの実施形態では、方法は、周波数帯域において基準開始サブキャリアに基づいてリソースブロックの第1のセットおよびリソースブロックの第2のセットを第1のワイヤレス通信デバイスによって決定することをさらに備える。
【０１２１】
本開示のさらなる実施形態は、周波数帯域において複数の帯域幅部分を示す第1の構成を第2のワイヤレス通信デバイスと通信することであって、複数の帯域幅部分が、周波数帯域におけるリッスンビフォアトーク(LBT)に関連する予想チャネルアクセスパターンに基づくことと、LBT結果に基づいて複数の帯域幅部分のうちの第1の帯域幅部分において第1の通信信号を第2のワイヤレス通信デバイスと通信することとを行うように構成されたトランシーバを備える装置を含む。
【０１２２】
いくつかの実施形態では、周波数帯域は、複数のチャネルを含み、複数の帯域幅部分の各帯域幅部分は、複数のチャネルのうちの1つまたは複数のチャネルを含む。いくつかの実施形態では、第1の帯域幅部分は、複数のチャネルのうちの少なくとも2つの隣接しないチャネルを含む。いくつかの実施形態では、複数のチャネルは、共通1次チャネルを含み、複数の帯域幅部分の各帯域幅部分は、共通1次チャネルを含む。いくつかの実施形態では、各帯域幅は、複数のチャネルのうちの1つまたは複数の隣接するチャネルを含む。いくつかの実施形態では、トランシーバは、共通1次チャネルのための周波数ホッピングパターンを示す第2の構成を第2のワイヤレス通信デバイスと通信するようにさらに構成され、装置は、周波数ホッピングパターンに基づいて第1の帯域幅部分に周波数ホッピングを適用するように構成されたプロセッサをさらに含み、トランシーバは、周波数ホッピングされた第1の帯域幅部分において第2の通信信号を第2のワイヤレス通信デバイスと通信するようにさらに構成される。いくつかの実施形態では、装置は、各々が周波数帯域において複数のサブキャリアを含む複数のリソースブロックに対して、周波数帯域において基準開始サブキャリアを決定するように構成されたプロセッサをさらに備え、複数のチャネルの各チャネルは、複数のリソースブロックのうちの1つまたは複数のリソースブロックを含む。いくつかの実施形態では、装置は、複数の帯域幅部分のための複数のガードバンドを決定するように構成されたプロセッサをさらに備え、基準開始サブキャリアは、複数のガードバンドの一部分を含むリソースブロックとオーバーラップしていない、各帯域幅部分の中のリソースブロックの個数に関連するメトリックにさらに基づいて決定される。いくつかの実施形態では、プロセッサは、複数のチャネルの中心周波数が周波数帯域において複数のサブキャリアのサブキャリア間隔の整数倍だけ互いに離間するように、複数のガードバンドを決定するようにさらに構成される。いくつかの実施形態では、基準開始サブキャリアは、複数の帯域幅部分のうちの最大帯域幅を含む帯域幅部分のガードバンドにさらに基づいて決定される。いくつかの実施形態では、基準開始サブキャリアは、複数の帯域幅部分のうちの最小帯域幅を含む帯域幅部分のガードバンドにさらに基づいて決定される。いくつかの実施形態では、周波数帯域は、リソースブロックの第2のセットとともにインターレースされたリソースブロックの第1のセットを少なくとも含み、トランシーバは、第1の帯域幅部分内のリソースブロックの第1のセットの少なくとも一部分の中で第1の通信信号を通信するようにさらに構成される。いくつかの実施形態では、装置は、周波数帯域において基準開始サブキャリアに基づいてリソースブロックの第1のセットおよびリソースブロックの第2のセットを決定するように構成されたプロセッサをさらに備える。
【０１２３】
本開示のさらなる実施形態は、プログラムコードを記録したコンピュータ可読媒体を含み、プログラムコードは、第1のワイヤレス通信デバイスに、周波数帯域において複数の帯域幅部分を示す第1の構成を第2のワイヤレス通信デバイスと通信させるためのコードであって、複数の帯域幅部分が、周波数帯域におけるリッスンビフォアトーク(LBT)に関連する予想チャネルアクセスパターンに基づく、コードと、第1のワイヤレス通信デバイスに、LBT結果に基づいて複数の帯域幅部分のうちの第1の帯域幅部分において第1の通信信号を第2のワイヤレス通信デバイスと通信させるためのコードとを備える。
【０１２４】
いくつかの実施形態では、周波数帯域は、複数のチャネルを含み、複数の帯域幅部分の各帯域幅部分は、複数のチャネルのうちの1つまたは複数のチャネルを含む。いくつかの実施形態では、第1の帯域幅部分は、複数のチャネルのうちの少なくとも2つの隣接しないチャネルを含む。いくつかの実施形態では、複数のチャネルは、共通1次チャネルを含み、複数の帯域幅部分の各帯域幅部分は、共通1次チャネルを含む。いくつかの実施形態では、各帯域幅は、複数のチャネルのうちの1つまたは複数の隣接するチャネルを含む。いくつかの実施形態では、コンピュータ可読媒体は、第1のワイヤレス通信デバイスに、共通1次チャネルのための周波数ホッピングパターンを示す第2の構成を第2のワイヤレス通信デバイスと通信させるためのコードと、第1のワイヤレス通信デバイスに、周波数ホッピングパターンに基づいて第1の帯域幅部分に周波数ホッピングを適用させるためのコードと、第1のワイヤレス通信デバイスに、周波数ホッピングされた第1の帯域幅部分において第2の通信信号を第2のワイヤレス通信デバイスと通信させるためのコードとをさらに備える。いくつかの実施形態では、コンピュータ可読媒体は、第1のワイヤレス通信デバイスに、各々が周波数帯域において複数のサブキャリアを含む複数のリソースブロックに対して、周波数帯域において基準開始サブキャリアを決定させるためのコードをさらに備え、複数のチャネルの各チャネルは、複数のリソースブロックのうちの1つまたは複数のリソースブロックを含む。いくつかの実施形態では、コンピュータ可読媒体は、第1のワイヤレス通信デバイスに、複数の帯域幅部分のための複数のガードバンドを決定させるためのコードをさらに備え、第1のワイヤレス通信デバイスに、基準開始サブキャリアを決定させるためのコードは、複数のガードバンドの一部分を含むリソースブロックとオーバーラップしていない、各帯域幅部分の中のリソースブロックの個数に関連するメトリックに基づいて基準開始サブキャリアを決定するようにさらに構成される。いくつかの実施形態では、第1のワイヤレス通信デバイスに、複数のガードバンドを決定させるためのコードは、複数のチャネルの中心周波数が周波数帯域において複数のサブキャリアのサブキャリア間隔の整数倍だけ互いに離間するように、複数のガードバンドを決定するようにさらに構成される。いくつかの実施形態では、第1のワイヤレス通信デバイスに、基準開始サブキャリアを決定させるためのコードは、複数の帯域幅部分のうちの最大帯域幅を含む帯域幅部分のガードバンドに基づいて基準開始サブキャリアを決定するようにさらに構成される。いくつかの実施形態では、第1のワイヤレス通信デバイスに、基準開始サブキャリアを決定させるためのコードは、複数の帯域幅部分のうちの最小帯域幅を含む帯域幅部分のガードバンドに基づいて基準開始サブキャリアを決定するようにさらに構成される。いくつかの実施形態では、周波数帯域は、リソースブロックの第2のセットとともにインターレースされたリソースブロックの第1のセットを少なくとも含み、第1のワイヤレス通信デバイスに、第1の通信信号を通信させるためのコードは、第1の帯域幅部分内のリソースブロックの第1のセットの少なくとも一部分���中で第1の通信信号を第2のワイヤレス通信デバイスと通信するようにさらに構成される。いくつかの実施形態では、コンピュータ可読媒体は、第1のワイヤレス通信デバイスに、周波数帯域において基準開始サブキャリアに基づいてリソースブロックの第1のセットおよびリソースブロックの第2のセットを決定させるためのコードをさらに備える。
【０１２５】
本開示のさらなる実施形態は、周波数帯域において複数の帯域幅部分を示す第1の構成を第2のワイヤレス通信デバイスと通信するための手段であって、複数の帯域幅部分が、周波数帯域におけるリッスンビフォアトーク(LBT)に関連する予想チャネルアクセスパターンに基づく、手段と、LBT結果に基づいて複数の帯域幅部分のうちの第1の帯域幅部分において第1の通信信号を第2のワイヤレス通信デバイスと通信するための手段とを備える装置を含む。
【０１２６】
いくつかの実施形態では、周波数帯域は、複数のチャネルを含み、複数の帯域幅部分の各帯域幅部分は、複数のチャネルのうちの1つまたは複数のチャネルを含む。いくつかの実施形態では、第1の帯域幅部分は、複数のチャネルのうちの少なくとも2つの隣接しないチャネルを含む。いくつかの実施形態では、複数のチャネルは、共通1次チャネルを含み、複数の帯域幅部分の各帯域幅部分は、共通1次チャネルを含む。いくつかの実施形態では、各帯域幅は、複数のチャネルのうちの1つまたは複数の隣接するチャネルを含む。いくつかの実施形態では、装置は、共通1次チャネルのための周波数ホッピングパターンを示す第2の構成を第2のワイヤレス通信デバイスと通信するための手段と、周波数ホッピングパターンに基づいて第1の帯域幅部分に周波数ホッピングを適用するための手段と、周波数ホッピングされた第1の帯域幅部分において第2の通信信号を第2のワイヤレス通信デバイスと通信するための手段とをさらに備える。いくつかの実施形態では、装置は、各々が周波数帯域において複数のサブキャリアを含む複数のリソースブロックに対して、周波数帯域において基準開始サブキャリアを決定するための手段をさらに備え、複数のチャネルの各チャネルは、複数のリソースブロックのうちの1つまたは複数のリソースブロックを含む。いくつかの実施形態では、装置は、複数の帯域幅部分のための複数のガードバンドを決定するための手段をさらに備え、基準開始サブキャリアを決定するための手段は、複数のガードバンドの一部分を含むリソースブロックとオーバーラップしていない、各帯域幅部分の中のリソースブロックの個数に関連するメトリックに基づいて基準開始サブキャリアを決定するようにさらに構成される。いくつかの実施形態では、複数のガードバンドを決定するための手段は、複数のチャネルの中心周波数が周波数帯域において複数のサブキャリアのサブキャリア間隔の整数倍だけ互いに離間するように、複数のガードバンドを決定するようにさらに構成される。いくつかの実施形態では、基準開始サブキャリアを決定するための手段は、複数の帯域幅部分のうちの最大帯域幅を含む帯域幅部分のガードバンドに基づいて基準開始サブキャリアを決定するようにさらに構成される。いくつかの実施形態では、基準開始サブキャリアを決定するための手段は、複数の帯域幅部分のうちの最小帯域幅を含む帯域幅部分のガードバンドに基づいて基準開始サブキャリアを決定するようにさらに構成される。いくつかの実施形態では、周波数帯域は、リソースブロックの第2のセットとともにインターレースされたリソースブロックの第1のセットを少なくとも含み、第1の通信信号を通信するための手段は、第1の帯域幅部分内のリソースブロックの第1のセットの少なくとも一部分の中で第1の通信信号を第2のワイヤレス通信デバイスと通信するようにさらに構成される。いくつかの実施形態では、装置は、周波数帯域において基準開始サブキャリアに基づいてリソースブロックの第1のセットおよびリソースブロックの第2のセットを決定するための手段をさらに備える。
【０１２７】
当業者には今や諒解されるように、また当面の特定の適用例に応じて、本開示の趣旨および範囲から逸脱することなく、本開示のデバイスの材料、装置、構成、および使用方法において、かつそれらに対して、多くの修正、置換、および変形を行うことができる。このことに照らして、本明細書で図示および説明した特定の実施形態は、それらのいくつかの例としてにすぎないので、本開示の範囲はそのような特定の実施形態の範囲に限定されるべきではなく、むしろ、以下に添付される特許請求の範囲およびそれらの機能的等価物の範囲と完全に同じであるべきである。
【符号の説明】
【０１２８】
100  ワイヤレス通信ネットワーク
105  基地局(BS)
105a〜105c  BS
105d、105e  BS、マクロBS
105f  BS、スモールセルBS
115  ユーザ機器(UE)
115a〜115d、115e〜115k  UE
200  帯域幅部分(BWP)構成
202  物理リソースブロック(PRB)
204  共通基準PRB
210  周波数帯域
220、220a、220b  BWP
300  ガードバンド構成
302、304、306  帯域幅(BW)
310  チャネルアクセスシナリオ
312、312L、312R  ガードバンド
314  通信信号
320  チャネルアクセスシナリオ
322、322L、322R  ガードバンド
324  通信信号
330  チャネルアクセスシナリオ
332、332L、332R  ガードバンド
334  通信信号
400  UE
402  プロセッサ
404  メモリ
406  命令
408  BWPベース通信モジュール
410  トランシーバ
412  モデムサブシステム
414  無線周波数(RF)ユニット
416  アンテナ
500  BS
502  プロセッサ
504  メモリ
506  命令
508  BWPベース通信モジュール
510  トランシーバ
512  モデムサブシステム
514  RFユニット
516  アンテナ
600  BWP構成方式
602  チャネル構成
604  周波数帯域
606  チャネル
608a、608b、608c  グループ
610、610(0)、610(1)、610(2)、610(3)、610(4)、610(5)、610(6)、610(7)、610(8)、610(9)、610(10)、610(11)、610(12)、610(13)、610(14)  BWP
700  BWP構成方式
702  1次チャネル
704  基準開始サブキャリア
710、710(0)、710(1)、710(2)、710(3)  BWP
800  BWP構成方式
802  1次チャネル
810、810(0)、810(1)、810(2)、810(3)  BWP
900  周波数ホッピングを伴うBWP構成方式
902  1次チャネル
904  周波数ホッピングパターン
906、908  構成
910、910(t1)、910(t2)、920、920(t1)、920(t2)、930、930(t1)、930(t2)、940、940(t1)、940(t2)  BWP
1000  インターレース型ベースの割振りを用いたBWP構成方式
1002  周波数リソース
1010  周波数インターレース
1100  基準リソースブロック構成方式
1110  構成
1112  ガードバンド
1114  基準開始サブキャリア
1120  構成
1122  ガードバンド
1124  基準開始サブキャリア
1130  構成
1134  基準開始サブキャリア
1200  基準リソースブロックを考慮したBWP構成方式
1204  基準開始サブキャリア
1208  共通基準PRB
1214  中心周波数
1220  周波数分離
1250  マッピング
1252  ガードバンド
1260  PRBグリッド
1300  方法
1400  方法
【図１】
2021516008.tif 000003
【図２】
2021516008.tif 000004
【図３】
2021516008.tif 000005
【図４】
2021516008.tif 000006
【図５】
2021516008.tif 000007
【図６】
2021516008.tif 000008
【図７】
2021516008.tif 000009
【図８】
2021516008.tif 000010
【図９】
2021516008.tif 000011
【図１０】
2021516008.tif 000012
【図１１】
2021516008.tif 000013
【図１２】
2021516008.tif 000014
【図１３】
2021516008.tif 000015
【図１４】
2021516008.tif 000016
【国際調査報告】
2021516008.tif 000017
2021516008.tif 000018
2021516008.tif 000019